(57)【要約】  糞便臭を香り構成要素の一つとして取り込むとともに、これを従来の芳香剤等では実現できなかったハイグレードな香気に転換することができ、さらに香料処方の組み立ても容易な糞便臭抑制用フレグランスを提供する。  フローラル系香気を有する基調香料成分と、動物臭系又は油脂系の香気を有する動物性香料からなり、基調香料成分に基づく前記フローラル系香気を人肌臭と調和する向きに変調させて変調植物系香気となす変調香料成分と、糞便臭系の香気を有する動物性香料からなり、変調植物系香気をさらに強調して香らせる強調香料成分と、からなる植物系身体用フレグランスの目標処方から、強調香料成分のみを除外した差分処方に従い調合される。目標処方に従う前記植物系身体用フレグランスよりも単独では変調植物系香気が弱まって香る一方、糞便臭系の悪臭が重畳されたとき、該糞便臭系の悪臭を前記強調香料成分の代替成分として取り込むことにより、前記変調植物系香気が強調されて香る。【特許請求の範囲】
【請求項１】
フローラル系香気を有する基調香料成分と、
動物臭系又は油脂系の香気を有する動物性香料からなり、前記基調香料成分に基づく前記フローラル系香気を人肌臭と調和する向きに変調させて変調植物系香気となす変調香料成分と、
糞便臭系の臭気を有する動物性香料からなり、前記変調植物系香気をさらに強調して香らせる強調香料成分と、からなる植物系身体用フレグランスの目標処方から、前記強調香料成分のみを除外した差分処方に従い調合され、
前記目標処方に従う前記植物系身体用フレグランスよりも単独では前記変調植物系香気が弱まって香る一方、糞便臭系の悪臭が重畳されたとき、該糞便臭系の悪臭を前記強調香料成分の代替成分として取り込むことにより、前記変調植物系香気が強調されて香ることを特徴とする糞便臭抑制用フレグランス。
【請求項２】
前記差分処方は、前記フローラル系香気をグリーン系又はハーブ系にシフトさせる向きに調整する調和香料成分をさらに含むものであり、かつ、前記変調香料成分が、前記調和香料成分によりグリーン系又はハーブ系にシフトした前記フローラル系香気を人肌臭と調和する向きに変調させるものである請求項１記載の糞便臭抑制用フレグランス。
【請求項３】
前記変調香料成分はムスク調香料が最大含有成分として配合される請求項１又は請求項２記載の糞便臭抑制用フレグランス。
【請求項４】
前記基調香料成分が、ジャスミン調香料、ミューゲ調香料、バルサム調香料、リリー調香料、ローズ調香料、バイオレット調香料及びライラック調香料の１種又は２種以上からなる請求項２又は請求項３に記載の糞便臭抑制用フレグランス。
【請求項５】
前記差分処方は、前記フローラル系香気をグリーン系又はハーブ系にシフトさせる向きに調整する調和香料成分をさらに含むものであり、かつ、前記変調香料成分が、前記調和香料成分によりグリーン系又はハーブ系にシフトした前記フローラル系香気を人肌臭と調和する向きに変調させるものであり、
前記調和香料成分としてグリーン系香料又はハーブ系香料と、さらに柑橘系香料とが配合される請求項４記載の糞便臭抑制用フレグランス。
【請求項６】
前記差分処方は、前記基調香料成分として、ジャスミン調香料が最大含有成分として配合されるとともに、さらに、リリー調香料、ローズ調香料、ミューゲ調香料及びバルサム調香料との４成分が、それら４成分の合計含有量が前記ジャスミン調香料の含有量よりも多くなるように配合され、
前記調和香料成分として、ハーブ系香料とウッディ系香料と柑橘系香料とが、それら３成分の任意の２成分の合計が残余成分の含有量を下回らないように配合されるものであり、
前記変調香料成分としてムスク調香料が最大含有成分として配合され、
得られる前記変調植物系香気が草原調香気である請求項５記載の糞便臭抑制用フレグランス。
【請求項７】
前記柑橘系香料としてライム調香料とベルガモット調香料とが配合される請求項６記載の糞便臭抑制用フレグランス。
【請求項８】
前記差分処方は、前記基調香料成分としてジャスミン調香料を最大含有成分として配合されるとともに、次いで含有量の多い成分としてリリー調香料が配合され、
前記調和香料成分は、ハーブ系香料とウッディ系香料とグリーン系香料とが、それら３成分の任意の２成分の合計が残余成分の含有量を下回らないように配合されるものであり、さらに、それらハーブ系香料とウッディ系香料とグリーン系香料との合計よりも多い柑橘系香料を含有するものであり、
前記変調香料成分が前記基調香料成分よりも多く配合されるとともに、該変調香料成分として、ムスク調香料を最大含有成分として、さらにアンバー調香料が配合され、
得られる前記変調植物系香気が森林調香気である請求項５記載の糞便臭抑制用フレグランス。
【請求項９】
前記柑橘系香料として、レモン調香料、ライム調香料及びベルガモット調香料が配合される請求項８記載の糞便臭抑制用フレグランス。
【請求項１０】
前記差分処方は、前記基調香料成分として、ジャスミン調香料及びローズ調香料の双方が、そのいずれかが最大含有成分となるように配合されるとともに、さらに、バイオレット調香料とライラック調香料との少なくともいずれかが配合されるものであり、
前記変調香料成分としてムスク調香料又はアンバー調香料が最大含有成分として配合され、
得られる前記変調植物系香気が石鹸調香気である請求項１又は請求項２に記載の糞便臭抑制用フレグランス。
【請求項１１】
前記基調香料成分として、リリー調香料及びミューゲ調香料の少なくともいずれかがさらに配合される請求項１０記載の糞便臭抑制用フレグランス。
【請求項１２】
前記調和香料成分として、ハーブ系香料とウッディ系香料との少なくともいずれかが配合される請求項１０又は請求項１１に記載の糞便臭抑制用フレグランス。
【請求項１３】
前記調和香料成分として、柑橘系香料がさらに配合される請求項１２に記載の糞便臭抑制用フレグランス。
【請求項１４】
請求項１ないし請求項１３のいずれか１項に記載の糞便臭抑制用フレグランスを芯材とし、排泄物と接触すると前記糞便臭抑制用フレグランスが流出するように該芯材を封入するカプセル壁材とを有することを特徴とするマイクロカプセル化フレグランス。
【請求項１５】
請求項１４記載のマイクロカプセル化フレグランスと、該マイクロカプセル化フレグランスが定着された繊維質基材とを有することを特徴とする糞便臭抑制機能付き繊維製品。
【請求項１６】
前記繊維質基材が紙おむつ又は布おむつの受便部を構成するものである請求項１５記載の糞便臭抑制機能付き繊維製品。
【請求項１７】
前記繊維質基材がペットの尿を吸収する消臭シート又は消臭ペレットを構成するものである請求項１５記載の糞便臭抑制機能付き繊維製品。
【請求項１８】
請求項１４記載のマイクロカプセル化フレグランスと、該マイクロカプセル化フレグランスが定着されたセラミックペレットとを有することを特徴とする糞便臭抑制用ペレット。
【請求項１９】
請求項１４記載のマイクロカプセル化フレグランスと、該マイクロカプセル化フレグランスを、前記カプセル壁材を溶解させない液体からなるカプセル分散剤とを噴霧容器に充填したことを特徴とするマイクロカプセル化フレグランス噴霧スプレー。
【請求項２０】
請求項１ないし請求項１３のいずれか１項に記載の糞便臭抑制用フレグランスを噴霧容器に充填したことを特徴とする糞便臭抑制用スプレー。
【発明の詳細な説明】
【技術分野】
【０００１】
この発明は、糞便臭抑制用フレグランス、それを用いたマイクロカプセル化フレグランス、糞便臭抑制機能付き繊維製品、糞便臭抑制用ペレット、マイクロカプセル化フレグランス噴霧スプレー及び糞便臭抑制用スプレーに関する。
【背景技術】
【０００２】
【特許文献１】特開２００３−１０４８２４号公報
【０００３】
腫瘍等の手術により人工肛門を着装した場合、常時排出されるガスや臭気が問題になり、これを緩和する方法として、古くから人工肛門の排出口に特別に製造された袋やベルトなどを常時装着する方法が採用されている。しかし、厭な糞便臭やガスの完全なる除去はできず、人工肛門を装着している本人は勿論、その周辺の人達に対しても多大な迷惑と精神的な負担とをかけて生活しているのが現状である。また、これに限らず、介護用失禁パンツ、乳幼児用オムツやペット用として使用されるシートなども、糞便で汚れた場合は当然臭気が問題になる。排便後に発散する臭気に対しては、特に女性が嫌悪感を持っており、その悪臭を除去するために種々のマスキング剤が市販されているが、満足度は低いものである。【０００４】
一般に、糞便臭など悪臭に対する消臭の手段としては、
（１）物理学的手法：悪臭の発生源を蓋などで空間的に遮蔽する。
（２）化学的手法：悪臭の発生元や悪臭の成分を分解する。
（３）悪臭を上回る強さで芳香成分を重畳し、相対的に悪臭を目立たなくさせる（いわゆる、マスキング効果）。
等の方法が知られている。しかし、（１）の方法は、悪臭発生源の遮蔽に完璧を期することが構造的に不可能な場合があり、悪臭の漏えいが避けがたいという問題がある。例えば、乳幼児用あるいは老人用のパンツ（おむつ）や犬猫用シートは、糞尿で汚れたときには新しいものと交換することになるが、汚れた使用済み品はゴミ箱やごみ袋に封入だけであり、隙間や穴から臭いが漏れ出してくる不具合は日常的に経験するところである。また、経済上の問題から、こうした製品は一定程度まで汚染が進行するまでは交換しないのが通常であるから、その間は悪臭を遮蔽することができず、問題を解決することができない。【０００５】
また、紙おむつの類は、人体に装着するものであるから、第三者に対し常に完全に隔離する、といったことは不可能に近い。また、おむつを装着した状態で使用者が外出するシーンもしばしばみられるところであるが、この場合は、移動する先々で悪臭が漏えいし、当事者が精神的な負担を強いられることにもつながる。紙おむつには、腰回りや足の付け根と当接する部位に漏洩防止用の伸縮ギャザーが設けられているのが通常であるが、その密閉力には限界があり、また、通気性を有したおむつ素材を透過して漏れ出す悪臭は防ぐことができない。【０００６】
また、同様の問題は、人工肛門造設者（いわゆる、オストメイト）においても発生している。具体的には、造設された人工肛門の排出口には、排出される糞便を回収するための袋（パウチ）が常時装着されるが、身体側に造設された人工肛門は交換が容易ではないため、回収用のパウチをもっぱら交換することになる。パウチの装着状態が不完全であると、糞便臭の漏洩が起こりやすくなる。また、パウチの交換を繰り返しているうちに、人工肛門側の装着用ベースが摩耗や破損を受け、パウチ装着口との嵌合密閉性が低下して、糞便臭がさらに漏れ出しやすくなることもある。人工肛門からの排便はオストメイトの意思とは無関係に恒常的に発生し、その排出を便意に基づいてコントロールすることもできないから、漏洩する糞便臭自体が引き起こす当事者及びその周囲への影響もさることながら、外出先等において、臭気発生に由来してオストメイトが被る精神的な負担は健常者の想像を超えたものがある。そこで、パウチの周囲をカバーで覆うとともに、紙おむつなどと同様に、そのカバーに芳香剤や消臭剤を付加し、糞便臭を抑制することも行われている。【０００７】
いずれの場合も、糞便臭抑制の手法として採用されるのは前述の（２）や（３）の方法ということになる。しかし、（２）の化学的な手法の場合、糞便臭成分の完全な分解に時間がかかったり、あるいは分解反応が均一に進まなかったりすることで、効果が不十分となる場合があった。また、基本的に糞便臭を消去する方式なので、好みの問題はあるが芳香による爽快感が得られないという側面もある。【０００８】
一方、（３）のマスキングによる方式は、強い芳香によって糞便臭をいわば無理やり目立たなくさせているに過ぎず、採用した芳香と糞便臭とが混ざり合った全体としての匂いは、必ずしも快適なものであるとは限らない。糞便臭とは、人間生活の営みと一体不可分に結び付いた、いわば誰でもそれとわかる特異な悪臭であり、無難に香る芳香の背後にも当該の臭気の存在が否応なしに自覚されてしまいやすい難点がある。【０００９】
これは、芳香と糞便臭とが同時に存在しているにもかかわらず、両者があたかも水と油のようになじまないために、それぞれが分離して感じられてしまう、ということとも関係している。こういう状況において、糞便臭が全く感じられなくなるほど芳香を強めると、今度は、その強い芳香自体が不快感を招いてしまうことにもつながる。また、市販されているトイレ芳香剤等に採用されている香りの種別はすでに陳腐化して久しく、採用した香り自体がトイレを連想させ、使用者の潜在意識に刷り込まれている糞便臭の記憶を結果として呼び起こしやすい、という点も考慮すべきである。【００１０】
このように、香りのレベルだけで悪臭を抑え込む方式では、香りを弱くすれば、わずかでもマスクしきれない糞便臭が不快感を呼び起こし、逆に香りを強めれば、その香り自体が不快となるジレンマに陥る。また、トイレ芳香剤等の陳腐化した芳香イメージが糞便臭と心理的に結合しているという状況は、香りの強弱だけでは打破することのできない本質的な課題でもある。【００１１】
ここで、課題解決のために考慮すべき先行技術への視野を、一旦糞便臭を離れて悪臭全体に広げてみた場合、特許文献１に注目すべき内容が開示されている。当該技術は、体臭抑制にかかるものであり、具体的には、体臭の原因物質と言われている２−ノネン−１−アールをカシスグリーンの香りに包み、良い匂いに転換するというものである。該効果の特徴的な点は、「体臭」という悪臭と調和する香料を選択し、悪臭を強引に抑え込むのではなく、最終的にイメージする「良い香り」の構成要素の一つとして悪臭を取り込んでしまうという点にある。文献中には、当該効果が「ハーモナージュ効果」と呼称されており、これを利用したシャンプー、リンス、ボディーソープ及び石鹸等が製造され、販売されている。
【発明の開示】
【発明が解決しようとする課題】
【００１２】
特許文献１においては、段落０００４に記載されているごとく、こうしたハーモナージュ効果を享受するために「ある特定の香料を単独で」採用することも、選択肢の一つとして許されている。しかしながら、体臭と調和する単独の香料を探し当てるには、無数に存在する香料群をいわばしらみつぶしに探索する必要があり、香料処方を確立するために多大な労力とコストを要する問題がある。また、同文献の段落０００４には、複数の香料を組み合わせて採用する可能性が示唆されているが、この場合は、香料が複数化する分、香料処方の確立がさらに困難となることは自明である。その本質は、体臭とのハーモナージュ効果を実現するために必要な香料処方の設計思想が該文献に開示されていない点にある。【００１３】
さらに、特許文献１が開示するのは体臭の抑制に効果を有する香料処方のみであって、本明細書が課題として掲げる糞便臭の抑制、特に、ハーモナージュ効果に基づく糞便臭抑制に有効な香料処方は全く開示されていない。【００１４】
そもそも特許文献１では、段落００１１においてマスキング効果は「変臭と拮抗し、その臭気を感じにくくさせる効果」として定義され、ハーモナージュ効果は「変臭とうまく調和し、不快とは感じさせなくする効果」として定義されている。前述のごとく、変臭（悪臭）を強いレベルの芳香で抑え込む（マスキング）のではなく、変臭と調和して「良い香り」の構成要素の一つとして取り込んでしまうことがハーモナージュ効果の本質である。これに鑑みれば、変臭に対して「拮抗」することと「調和」することとは全く相反する作用であり、マスキング効果では解決できない変臭の抑制手段としてハーモナージュ効果の存在意義がある。ところが、特許文献１においては、表１及び表２にて肯定的な評価結果が示されている香料処方のほとんどすべてにおいて、本来相容れないはずのマスキング効果とハーモナージュ効果とが同時に達成されており、技術的に矛盾している。また、開示されている処方の各成分がハーモナージュ効果の発現にあって、どのように作用しているのかについても、何一つ言及されていない。【００１５】
本発明の課題は、糞便臭を香り構成要素の一つとして取り込むとともに、これを従来の芳香剤等では実現できなかったハイグレードな香気に転換することができ、さらに香料処方の組み立ても容易な糞便臭抑制用フレグランスと、それを用いたマイクロカプセル化フレグランス、糞便臭抑制機能付き繊維製品、糞便臭抑制用ペレット、マイクロカプセル化フレグランス噴霧スプレー、及び糞便臭抑制用スプレーを提供することにある。
【課題を解決するための手段及び発明の効果】
【００１６】
上記の課題を解決するために、本発明の糞便臭抑制用フレグランスは、
フローラル系香気を有する基調香料成分と、
動物臭系又は油脂系の香気を有する動物性香料からなり、基調香料成分に基づくフローラル系香気を人肌臭と調和する向きに変調させて変調植物系香気となす変調香料成分と、
糞便臭系の臭気を有する動物性香料からなり、変調植物系香気をさらに強調して香らせる強調香料成分と、からなる植物系身体用フレグランスの目標処方から、強調香料成分のみを除外した差分処方に従い調合され、
目標処方に従う植物系身体用フレグランスよりも単独では変調植物系香気が弱まって香る一方、糞便臭系の悪臭が重畳されたとき、該糞便臭系の悪臭を強調香料成分の代替成分として取り込むことにより、変調植物系香気が強調されて香ることを特徴とする。
【００１７】
上記本発明の糞便臭抑制用フレグランスにおいては、フローラル系香気を有する基調香料成分を使用し、糞便臭が重畳されたときの最終的な香りを、フローラル（花）の香りを軸として組み立てる思想を有する。本発明者らは、フローラル系の香りそのものは糞便臭とは直接なじまず分離して香り易いものであり、糞便臭抑制に際してもマスキング効果にとどまるケースが多いことを、調香等を通じた長年の経験から把握していた。他方、フローラル系の香りは、香水など人肌に直接適用するフレグランスの主要成分としても多用されているが、人体用の香水として人肌臭との調和を促進するとともに、香りに深みと奥行きを与えるために、動物臭系又は油脂系の香気を有する動物性香料を添加することが有効である。そして、より強烈な動物系臭気成分、具体的には、シベット（ジャコウネコ分泌物から抽出される）など、単独では糞便臭に極めて類似の臭気を有した動物性香料が適量加わった場合に、フローラル系の香気は、上記のように人肌臭と調和するように変調されている場合に限って、不思議なことに、まるで鼻の奥底から持ちあがるように大幅に強調され、フローラル系香料の濃度を単に高めた場合とは異なる、濃厚かつ優雅で高貴な香りへと変貌する。
【００１８】
そこで、本発明者らは、上記フローラル系香気を有する基調香料成分と、動物臭系又は油脂系の香気を有する動物性香料からなる変調香料成分と、糞便臭系の臭気を有する動物性香料からなる強調香料成分とにより組み立てられた植物系身体用フレグランスの処方を目標処方としてとらえた場合、この最後の糞便臭系の強調香料成分と、本発明の抑制対象である本物の糞便臭との間には相互置換性があるのではないかと考えた。そこで、上記の目標処方からあえて強調香料成分のみを除外した差分処方に基づき香料を調合し、これを糞便臭系の悪臭に重畳してみたところ、目標処方に従い正規に調合されたフレグランスとほぼ同質の優雅で高貴な香りに転換されることを見出して、本発明を完成するに至ったものである。
【００１９】
すなわち、本発明の糞便臭抑制用フレグランスは、もとになった目標処方に基づく植物系身体用フレグランスと比較すれば、強調香料成分が除外されている分、単独では変調植物系香気が弱まって香る。しかし、これに糞便臭系の悪臭が重畳されると、該糞便臭系の悪臭が強調香料成分の代替成分として取り込まれ、目標処方に従い正規に調合されたフレグランスと同様に変調植物系香気が強調されて香る。その結果、糞便臭を、基調香料成分が有するフローラル系の香気よりもさらに奥深く優雅で高貴な香りに転換する形で抑制することができる。
【００２０】
この作用・効果にあって重要なのは、単独では動物臭系又は油脂系の香気を有する変調香料成分が、人肌に対する香りとしての親和性とフローラル系香気との融合性との双方に優れており、結果として、同じ動物系の臭気である糞便臭とも無理なくなじむ性質を有している点にある。その結果、変調香料成分は、あたかも水と油をなじませる界面活性剤のごとく、本来は互いに分離しやすいフローラル系香気と糞便臭との仲立ちをし、結果的にこの３者の香りを渾然一体に導いて、フローラル系香気単独では到底達成できない異質でハイグレードな香りを現出するのに本質的な貢献をする。そして、糞便臭に重畳されたときに最終的に得られる香りは、トイレ芳香剤等で陳腐化しているフローラル系香気との質としての隔たりが非常に大きい。その結果、潜在意識として当事者に刷り込まれている糞便臭の記憶も呼び起こされにくい利点がある。
【００２１】
そして、上記の香料の処方は、目標処方として、香りの芳香性がそれぞれ明確な３つの成分、すなわち、フローラル系香気の基調香料成分と、動物臭系又は油脂系の香気を有する変調香料成分と、糞便臭系の臭気を有する強調香料成分とをベースに最終的な香りのイメージを組み立て、そこから強調香料成分のみを抜いて差分処方を得るようにすればよい。すなわち、採用するフローラル系香気自体が、単独で糞便臭との調和性に優れているかどうかをそれほど深く意識せずとも、簡単に香料処方を確立できる点も重要である。その結果、特許文献１のごとく、糞便臭と調和する単独の香料ないし複数香料の組み合わせをしらみつぶしに探索する必要がなくなり、香料開発の手間とコストを大幅に削減することができ、また、採用可能なフローラル系香気の種別、ひいては最終的に得られる（糞便臭に重畳されたときの）香りのバリエーションも大幅に増やすことができる。
【００２２】
次に、本発明においては、差分処方は、フローラル系香気をグリーン系又はハーブ系（スパイス系を概念として含む）にシフトさせる向きに調整する調和香料成分をさらに含むものであり、かつ、変調香料成分が、調和香料成分によりグリーン系又はハーブ系にシフトしたフローラル系香気を人肌臭と調和する向きに変調させるものとして設定できる。このような調和香料成分によりフローラル系香気をグリーン系又はハーブ系にシフトさせておくことにより、動物系の変調香料成分とフローラル系香気との融合性を大幅に高めることができる。その結果、糞便臭が重畳されたときの最終的な香りは一層奥行きを増し、トイレ芳香剤などの糞便臭とリンクした安価なフローラル系香気との、質としての隔たりも一層拡大できる。
【００２３】
変調香料成分及び調和香料成分とフローラル（花）系香気とが融合した最終的な香りは、各香料の配合比率に応じて、ベースとなった花の香りを容易に識別できる場合もあるし、花の香りからは隔たった香りとなる場合もある。例えば後述する森林調の香りや草原調の香りとすることもできるし、花の香りをベースとしつつも清潔でさわやかな石鹸調の香りなどを現出することもできる。
【００２４】
なお、差分処方を構成する基調香料成分、変調香料成分及び調和香料成分の好ましい配合割合は、目標とする香りの、採用する香料の種別や香気の強さによって大きく変化し、例えば、重量含有比率においては少量しか含有されない香料成分が、当該の処方にて他の成分よりも香調としては強く感じられることもありえる。このことも踏まえた上で、各成分の好ましい配合割合はおおむね以下の通りである。
基調香料成分：１０質量％以上９５質量％以下、望ましくは２５質量％以上９０質量％以下
変調香料成分：１質量％以上６０質量％以下、望ましくは３質量％以上５８質量％以下
基調香料成分：省略することも可能。望ましくは、０．１質量％以上７５質量以下、より望ましくは０．２質量％以上１３質量％以下
【００２５】
差分処方において変調香料成分は、具体的にはムスク調香料、アンバー調香料及び皮革臭系香料（例えば、カストリウム調香料など）の１種又は２種以上からなるものとして構成できる。本発明者らは、こうした変調香料成分を採用する場合、目標処方では、糞便臭に極めて類似した香調を持つシベットを強調香料成分として使用したときに、差分処方が有する変調植物系香気が極めて顕著に強められることを経験している。そして、この差分処方に基づくフレグランスを糞便臭に重畳すれば、シベットを用いた場合の目標処方に基づくフレグランスとほぼ同等の上質な香調を得ることができ、糞便臭抑制効果が顕著である。この効果は、ムスク調香料が最大含有成分として配合されるように変調香料成分を構成した場合に著しい。この場合、基調香料成分は、基調香料成分が、ジャスミン調香料、ミューゲ調香料、バルサム調香料、リリー調香料、ローズ調香料、バイオレット調香料及びライラック調香料の１種又は２種以上からなるものを使用するのが好適である。
【００２６】
この場合、上記のようなムスク調香料、アンバー調香料及び皮革臭系香料の１種又は２種以上からなる変調香料成分は、フローラル系香気をグリーン系又はハーブ系にシフトさせる調和香料成分との適合性が特に高い。すなわち、グリーン系又はハーブ系にシフトしたフローラル系香気は、上記の変調香料成分により、人肌臭と調和させる効果が特に高められる。該効果は、調和香料成分において、グリーン系又はハーブ系香料以外に、さらに柑橘系香料あるいはウッディ系香料（アーシー調香料を概念として含む）が配合されている場合により顕著となる。
【００２７】
差分処方において、フローラル系香気をハーブ系ないしグリーン系にシフトさせる向きに調整する調和香料成分を採用した場合、上記の変調香料成分との併用により、最終的な香気を純粋なフローラル系から隔たった種々の好ましい香りへと変貌させることができる。以下に、その具体的な構成を例示するが、本発明はこれらに限定されるものではない。
【００２８】
差分処方を以下のように構成することで、得られる変調植物系香気を草原調香気とすることができる。
基調香料成分：ジャスミン調香料が最大含有成分として配合されるとともに、さらに、リリー調香料、ローズ調香料、ミューゲ調香料及びバルサム調香料との４成分が、それら４成分の合計含有量がジャスミン調香料の含有量よりも多くなるように配合される。
調和香料成分：ハーブ系香料とウッディ系香料と柑橘系香料とが、それら３成分の任意の２成分の合計が残余成分の含有量を下回らないように配合される。
変調香料成分：ムスク調香料が最大含有成分として配合される。
【００２９】
こうして得られる草原調香気は、具体的には、明るくすがすがしい風の雰囲気を感じさせ、幾分青臭い草の香りの中にも花の甘さが溶け合った陽性の香りと表現することもできる。当然、その草原調の香りは、本来的にはフローラル（花）系の下地を有しつつ動物系の変調香料成分により奥行きと深みが加わった気品の高いものである。そして、糞便臭が重畳された場合も香りのバランスは崩れず安定であり、一部糞便臭に由来した香気であるとは直ちには信じがたいほどである。
【００３０】
上記の処方にて草原調の香気を得る上でのポイントは、特定の花の香りが飛び出さないよう、ジャスミン調香料をベースとしつつ、さらにリリー調、ローズ調、ミューゲ調及びバルサム調を加えた少なくとも５つの花の香りがブレンドされること、そして、ムスク調の変調香料成分との調和を取るために、ハーブ系香料及びウッディ系香料に加え、柑橘系香料が調和香料成分として併用される点である。柑橘系香料として、ライム調香料とベルガモット調香料とを配合することが特に好ましい。また、調和香料成分としては、これ以外のフルーティー系香料（例えば、アップル調香料など）を配合することも可能である。
【００３１】
草原調香気を得る上で望ましい各成分の配合割合は、例えば、おおむね次の通りであるが、これに限定されるものではない。
基調香料成分：５０質量％以上７５質量％以下（ジャスミン調香料：２０質量％以上３５質量％以下、リリー調香料、ローズ調香料、ミューゲ調香料及びバルサム調香料との４成分合計：２１質量％以上４０質量％以下）。
調和香料成分：１０質量％以上１６質量％以下。
変調香料成分：１０質量％以上２０質量％以下（ムスク調香料：８質量％以上２０質量％以下）。
【００３２】
差分処方を以下のように構成することで、得られる変調植物系香気を森林調香気とすることができる。
基調香料成分：ジャスミン調香料を最大含有成分として配合されるとともに、次いで含有量の多い成分としてリリー調香料が配合される。
調和香料成分：ハーブ系香料とウッディ系香料とグリーン系香料とが、それら３成分の任意の２成分の合計が残余成分の含有量を下回らないように配合され、さらに、それらハーブ系香料とウッディ系香料とグリーン系香料との合計よりも多い柑橘系香料を含有する。
変調香料成分：変調香料成分が基調香料成分よりも多く配合されるとともに、該変調香料成分として、ムスク調香料を最大含有成分として、さらにアンバー調香料が配合される。
【００３３】
こうして得られる森林調香気は、具体的には、前述の草原の香りとは対照的に、葉っぱや樹木などを連想させるとともに、茂った森のやや薄暗いトーンの中でウェットな瘴気を感じさせるやや重厚な香りとも形容すべきものである。前述の草原調の香りと同様に、フローラル（花）系の下地を有しつつ動物系の変調香料成分により奥行きと深みが加わり、糞便臭が重畳された場合の香りのバランスも良好で、一部糞便臭に由来した香気であることを全く忘れさせる内容となる。
【００３４】
上記の処方にて森林調の香気を得る上でのポイントは、ジャスミン調香料をベースとして、これに相当量のリリー調の香りがブレンドして、草原調の場合よりは個性的な基調を形成しておき、さらに、グリーン系を必須とする調和香料成分と、さらに、沈んだ香調のアンバー調香料を必須配合することで深い森林の瘴気を演出している点にある。また、グリーン系香料の青臭さが過度に飛び出さないよう、グリーン系香料は、これと拮抗する含有量のハーブ系香料及びウッディ系香料と共配合されるとともに、ここでも柑橘系香料が併用される。柑橘系香料としては、レモン調香料、ライム調香料及びベルガモット調香料を配合することが望ましい。
【００３５】
森林調香気を得る上で望ましい各成分の配合割合は、例えば、おおむね次の通りであるが、これに限定されるものではない。
基調香料成分：２５質量％以上４５質量％以下（ジャスミン調香料：１２質量％以上３０質量％以下、リリー調香料：５質量％以上１５質量％以下）。
調和香料成分：７質量％以上２０質量％以下（ハーブ系香料、ウッディ系香料及びグリーン系香料の合計：２質量％以上５質量％以下、柑橘系香料：５質量％以上１５質量％以下）
変調香料成分：３５質量％以上６８質量％以下（ムスク調香料：２５質量％以上４５質量％以下、アンバー調香料：１０質量以上３０質量％以下）。
【００３６】
差分処方を以下のように構成することで、得られる変調植物系香気を石鹸調香気とすることができる。
基調香料成分：ジャスミン調香料及びローズ調香料の双方が、そのいずれかが最大含有成分となるように配合されるとともに、さらに、バイオレット調香料とライラック調香料との少なくともいずれかが配合される。
変調香料成分：ムスク調香料又はアンバー調香料が最大含有成分として配合される。
【００３７】
石鹸はもともと油脂が基本原料であり、人肌に適用することを前提に古くから花の香りをベースに着香する工夫がなされてきた。その結果、油脂と花が混ざり合った香りのベースが石鹸のにおいを連想させるものとして広く定着してきている背景があり、特にジャスミン調香料やローズ調香料が石鹸用の香料としてなじみ深いものとなっている。この場合、花の香りそのものは持続性が短いので、花の香りが消散した後は石鹸の場合はどうしても油脂系の重い匂いが残りやすい。そこで、その油脂的な残り香を抑えるため、ムスクやアンバーなど持続性の高い香料（変調香料成分：ラストノート系）が配合されて、一般に認識される石鹸臭のイメージが形成されるのである。この場合、花の香りを際立たせるには、個性的な調和香料成分の含有量をなるべく抑えつつ、ムスクやアンバーからなる変調香料成分との親和性を高めることが有効であり、ハーブ系の香りの要素も備えたフローラル系香料として、バイオレット調ないしラベンダー調の香料が基調香料成分に必須に配合される点が特徴的である。
【００３８】
基調香料成分としては、香りに甘みを持たせるために、リリー調香料及びミューゲ調香料の少なくともいずれかをさらに配合することも可能である。また、調和香料成分として、ハーブ系香料とウッディ系香料との少なくともいずれかを配合することももちろん可能である。この場合、ハーブ系香料とウッディ系の香りが鋭くなりすぎないようにしたい場合は、調和香料成分として、柑橘系香料をさらに配合しておくとよい。
【００３９】
石鹸調香気を得る上で望ましい各成分の配合割合は、例えば、おおむね次の通りであるが、これに限定されるものではない。
基調香料成分：６５質量％以上９０質量％以下（ジャスミン調香料とローズ調香料の合計：３０質量％以上７５質量％以下（これらの一部、例えば２０質量％までを、リリー調香料及びミューゲ調香料の少なくとも一方にて置換可能）、バイオレット調香料とライラック調香料の合計：２質量％以上１５質量％以下）。
調和香料成分：１５質量％以下（省略することも可能）
変調香料成分：２質量％以上２５質量％以下。
【００４０】
以下、本発明に使用可能な具体的な香料成分について以下に列挙するが、これらに限定されるものではない。
ジャスミン調香料は、例えば、酢酸ベンジル、２−ｎ−ヘキシル−３−フェニル−２−プロペナール（α−ヘキシルシンナミックアルデヒド）、ジヒドロジャスモン酸メチル（商品名：ＭＤＪスーパー）、ジャスモン酸メチル、３−メチル−２−（シス−２−ペンテン−１−イル）−２−シクロペンテン−１−オン（シスジャスモン）、３−フェニルプロピオンアルデヒド（ヒドロシンナムアルデヒド）、ギ酸ベンジル、２−ｎ−ペンチル−３−フェニルプロペナール（ジャスミンアルデヒド）、プロピオン酸ベンジルなどから選ばれるものを単独で、もしくは２種以上を組み合わせて使用することができる。
【００４１】
ミューゲ調香料は、４−メチル−２−（２−メチルプロピル）テトラヒドロ−２Ｈ−ピラン−４−オール（商品名：フロロール）、β−（p−tert-ブチルフェニル）-α-メチルプロピオンアルデヒド（商品名：リリアール）、２−メチル−３−（p−イソプロピルフェニル）プロピオンアルデヒド（シクラメンアルデヒド）、３，７−ジメチル−１，７−オクタンジオール（ヒドロキシシトロネロール）、３，７−ジメチル−７−ヒドロキシオクタナール（ヒドロキシシトロネラール）、４（３）−（４−ヒドロキシ−４−メチルペンチル）−３−シクロヘキセン−１−カルボキシアルデヒド（リラール）、３，７−ジメチル−３−オクタノール（テトラヒドロリナロール）、４−（１−メチルエチル）シクロヘキサンメタノール、イソソルビドなどから選ばれるものを単独で、もしくは２種以上を組み合わせて使用することができる。
【００４２】
バルサム調香料は、サリチル酸ｎ−ヘキシル、３−フェニル−１−プロパノール（ヒドロシンナミルアルコール）、ベンゾインレジノイド、ケイ皮酸ベンジル、ケイ皮酸、バルサムペルーあるいはバルサムトルーなどから選ばれるものを単独で、もしくは２種以上を組み合わせて使用することができる。
【００４３】
リリー調香料は、３，７−ジメチル−１，６−オクタジエン−３−オール（リナロール：ミューゲ調として使用されることもある）、酢酸３，７−ジメチル−１，６−オクタジエン−３−イル（酢酸リナリル）及び３，７−ジメチル−１，６−ノナジエン−３−オール（エチルリナロール）などから選ばれるものを単独で、もしくは２種以上を組み合わせて使用することができる。
【００４４】
ローズ系香料は、β-フェニルエチルアルコール（商品名：ローズＰ）、３，７−ジメチル−６−オクテン−１−オール（シトロネロール）、シス−３，７−ジメチル−２，６−オクタジエン−１−オール（ネロール）、トランス−３，７−ジメチル−２，６−オクタジエン−１−オール（ゲラニオール）、４−メチル−２−（２−メチル−１−プロペニル）ヘトラヒドロ−２Ｈ−ピラン（ローズオキサイド）、３，７−ジメチルオクタノール（テトラヒドロゲラニオール）、３−メチル−５−フェニル−１−ペンタノール（フェノキサノール）、１−（２，６，６−トリメチル−１−シクロヘキセニル）−２−ブテン−１−オン（β−ダマスコン）、フェニル酢酸β−フェニルエチル、酢酸デシル、安息香酸ゲラニル、酢酸２−フェニルエチル、酢酸３，７−ジメチル−６−オクテン−１−イル（酢酸シトロネリル）、酢酸トランス−３，７−ジメチル−２，６−オクタジエン−１−イル（酢酸ゲラニル）、酢酸シス−３，７−ジメチル−２，６−オクタジエン−１−イル（酢酸ネリル）、プロピオン酸ゲラニル、ギ酸β−フェニルエチル、ギ酸トランス−３，７−ジメチル−２，６−オクタジエン−１−イル（ギ酸ゲラニル）、ギ酸シトロネリル、フェニル酢酸イソブチル、ベンゾフェノン、酪酸ゲラニル、ｎ−ノニルアルコール、ゼラニウム油、ダマスクバラ花油、センチフォーリアバラ花油などから選ばれるものを単独で、もしくは２種以上を組み合わせて使用することができる。
【００４５】
ライラック調香料は、ジメチルベンジルカルビノール、１−メチル−４−イソプロピル−１−シクロヘキセン−８−オール（α−テルピネオール）などから選ばれるものを単独で、もしくは２種以上を組み合わせて使用することができる。
【００４６】
バイオレット調香料は、４−（２，６，６−トリメチル−２−シクロヘキセン−１−イル）−３−ブテン−２−オン（α−ヨノン）、４−（２，６，６−トリメチル−１−シクロヘキセン−１−イル）−３−ブテン−２−オン（β−ヨノン）、メチルヨノンなどから選ばれるものを単独で、もしくは２種以上を組み合わせて使用することができる。
【００４７】
また、その他のフローラル系香料として、下記のようなものも単独で、もしくは２種以上を組み合わせて使用可能である。
サリチル酸シス−３−ヘキセニル、３−（３，４−メチレンジオキシフェニル）−２−メチルプロパナール（商品名：ヘリオナール）、酢酸６，６−ジメチルビシクロ［３．１．１］−２−ヘプト−２−エン−２−エチル（酢酸ノピル）、３，４−メチレンジオキシベンズアルデヒド（商品名：ヘリオトロピン）、酢酸ｐ−tert−ブチルシクロヘキシル、酢酸３−シクロヘキセン−１−メチル（酢酸テルピニル）、４−（２，２−ジメチル−６−メチルシクロヘキシル）−３−メチル−３−ブテン−２−オン、フェニル酢酸メチル、ジフェニルエーテル、９−ドデカン−１−オール、５−ヒドロキシイソプロピル−２−メチル−２−ビニルテトラヒドロフラン、テトラヒドロ−２，２，６−トリメチル−６−ビニルピラン−３−オール（リナロールオキサイド）、デカン酸エチル、１，３，４，６，７，８a，−ヘキサヒドロ−１，１，５，５−テトラメチル−２Ｈ−２，４a−メタノナフタレン８（５Ｈ）−オン、２，６−ジメチル−２−ヘプタノール、９−デセン−１−オール（商品名：トレパノール）、ベンジルアルコール、安息香酸シス−３−ヘキセニル、３，７−ジメチル−６−オクテン−３−オール（ジヒドロリナロール）、ｐ−クレゾール、ベンズアルデヒド、ｐ−メンタン−３−オン、安息香酸イソブチル（あやめ調）、α−イロン（あやめ，バイオレット調）、オイゲノール（チョウジ調）、メチルオイゲノール（チョウジ調）、酢酸シンナミル（ヒヤシンスに類似した花調）、シンナミルアルコール（ヒヤシンス調）、スチロール（ヒヤシンス調）、フェニルアセトアルデヒド（ヒヤシンス様の花調）、アニスアルデヒド（ミモザ調）、アセトナフトン（オレンジ花調）、アセトフェノン（オレンジ花調）、ベンジリデンアセトン（スイートピー調）、ｐ−メチルアセトフェノン、メチルヘキシルケトン、ヘリオトロピン（ヘリオトロープの花臭）、ｐ−クレゾールメチルエーテル（花調）、ラウリルアルコール（脂肪臭を伴う花調）、ネロリドール（微木香，花調）、アンスラニル酸メチル（橙花ないし甘いブドウ調）、２−エトキシナフタレン（柑橘花調）、２−メトキシナフタレン（ネロリ調）、ジフェニルオキシド（ゼラニウム調）、カモミールローマン油。
【００４８】
ハーブ系香料（スパイス系を含む）は、１，２−ジメトキシ−４−（１−プロペニル）ベンゼン（イソオイゲノール）、ドデカヒドロ−３ａ，６，６，９ａ−テトラメチルナフト［２.１−ｂ］フラン（アンブロキサン）、１−（５，５−ジメチルシクロヘキセン−１−イル）−４−ペンテン−１−オン（ダイナスコン）、４−アリル−２−メトキシフェノール、ギ酸α，３，３−トリメチルシクロヘキサンメチル（アフェルマート）、グァイアックウッド、ナツメグ油、ユーカリ油、ラベンダー油、アネトール（アニス調）、エストラゴール（アニス調）、ｄーカルボン（キャラウェー調）、ペリラアルデヒド（シソ調）、４−（４−ヒドロキシ−３−メトキシフェニル）−２−ブタノン（ジンジャー調）、ｌ−メントール（ハッカ調）、エチルバニリン（バニラ調）、バニリン（バニラ調）、クミンアルデヒド（スパイシー調）、サフロール（スパイス調）、イソチオシアン酸アリル（マスタード調）、ｄ−プレゴン（ミント調）、ｌ−メントン（ミント調）、イソサフロール（甘いスパイス調）などから選ばれるものを単独で、もしくは２種以上を組み合わせて使用することができる。
【００４９】
グリーン系香料は、酢酸シス−３−ヘキセニル、シス−３−ヘキセノール、ジメチルテトラヒドロベンズアルデヒド（トリプラール）、ｐ−エチル−２，２−ジメチルヒドロシンナムアルデヒド（商品名：フロラロゾン）、安息香酸エチル、酢酸ボルニル、ファルネソール、ｄ−α−ピネンなどから選ばれるものを単独で、もしくは２種以上を組み合わせて使用することができる。
【００５０】
ウッディ系香料（アーシー調を含む）は、３，３−ジメチル−５−（２，２，３−トリメチル−３−シクロペンテン−１−イル）−４−ペンテン−２−オール（商品名：ポリサントール）、２−メチル−４−（２，２，３−トリメチル−３−シクロペンテン−１−イル）−２−ブテン−１−オール（商品名：サンタリノール）、オリバナム油、パチョリ油などから選ばれるものを単独で、もしくは２種以上を組み合わせて使用することができる。
【００５１】
フルーティー調香料は、２−メチル−１，３−ジオキソラン−２−酢酸エチル、（商品名：フルクトン）、酢酸２−tert−ブチルシクロヘキシル、酢酸３−メチル−２−ブテニル、酪酸イソアミル、カプリル酸エチル、トリシクロ［５．２．１．０２．６］デカン−２−カルボン酸エチルなどから選ばれるものを単独で、もしくは２種以上を組み合わせて使用することができる。
【００５２】
アルデヒド調香料としては、ｎ−ヘキサナール、ｎ−ヘプタナール、ｎ−オクタナール、ｎ−ノナナール、ｎ−デカナール、ｎ−ウンデカナールなどから選ばれるものを単独で、もしくは２種以上を組み合わせて使用することができる。
【００５３】
ラクトン調香料としては、クマリン、γ−ヘキサラクトン、γ−ヘプタラクトン、δ−ヘプタラクトン、γ−オクタラクトン、δ−オクタラクトン、γ−ナノラクトン、δ−ナノラクトン、γ−デカラクトン、δ−デカラクトン、γ−ウンデカラクトン、δ−ドデカラクトンなどから選ばれるものを単独で、もしくは２種以上を組み合わせて使用することができる。
【００５４】
柑橘系香料は、２，６−ジメチル−７−オクテン−２−オール（ライム調、ジヒドロミルセノール）、３，７−ジメチル−２，６−オクタジエン−１−アール（レモン調、シトラール）、ライム油、ベルガモット油（天然ベルガモット）、レモン油、オレンジ油、、リモネン（オレンジ，レモン調）、オクチルアルデヒド（オレンジ調）、ジフェニルメタン（オレンジ調）、メチルヘプテノン（グリーン，果実調）、ゲラニアール（レモン調）、ジペンテン（レモン調）、α−テルピネン（レモン調）、ネラール（レモン調）、酢酸リナリル（柑橘果実調）、ロジナール（柑橘調）、デシルアルデヒド（脂肪臭を伴う柑橘調）、酢酸ターピニル（ベルガモット、ラベンダー調）などから選ばれるものを単独で、もしくは２種以上を組み合わせて使用することができる。
【００５５】
動物臭系香料は、典型的にはムスク調香料ができる。すなわち、ムスク又はその合成品、具体的には、シクロペンタデセノライド（商品名：ハバノライド）、１，３，４，６，７，８−ヘキサヒドロ−４，６，６，７，８，８−ヘキサメチルシクロペンタ−γ−２−ベンゾピラン（商品名：ガラクソリド）、１−（５，６，７，８−テトラヒドロ−３，５，５，６，８，８−ヘキサメチル−２−ナフタレニル）エタン−１−オン（商品名：トナライド）、エチレンブラシレート（商品名：ムスクＴ）、４，４ａ，５，９ｂ−テトラヒドロインデノ［１．２−ｄ］−１，３−ジオキシン（商品名：インドフロール）、２−［１−（３，３−ジメチルシクロヘキシル）エトキシ］−２−メチルプロピオン酸１−プロピル（商品名：ヘルベトライド）、ω−ペンタデカノラクトン（商品名：アンブレットリド）、ω−ヘキサデセンラクトン（商品名：エギザルトリド）、エキサルトン、２，４，６−トリニトロ−１，３−ジメチル−５−tert−ブチルベンゼン（商品名：ムスクキシロール）、２，６−ジニトロ−３，５−ジメチル−４−tert−ブチルアセトフェノン（商品名：ムスクケトン）、３−メチルシクロペンタデカノン（商品名：ムスコン）などから選ばれるものを単独で、もしくは２種以上を組み合わせて使用することができる。
【００５６】
アンバー調香料は、アンバー又はその合成品、具体的には、２，３，８，８−テトラメチル−１，２，３，４，５，６，７，８−オクタヒドロ−２−アセトナフテン（商品名：イソ・イー・スーパー（アンバー・フルール））、安息香酸イソアミル（アンバー臭）、メチルノニルアセトアルデヒド（アンバー臭）などから選ばれるものを単独で、もしくは２種以上を組み合わせて使用することができる。
【００５７】
皮革臭系香料としては、カストリウムもしくはその合成品、イソブチルキノリンなどから選ばれるものを単独で、もしくは２種以上を組み合わせて使用することができる。いずれの香料もジプロピレングリコール、安息香酸ベンジル、エタノールなどの溶剤で希釈されたものを用いても良い。
【００５８】
次に、本発明の糞便臭抑制用フレグランスを用いた種々の応用発明について説明する。
その第一は、上記本発明の糞便臭抑制用フレグランスを芯材とし、排泄物（糞便と接触すると糞便臭抑制用フレグランスが流出するように該芯材を封入するカプセル壁材を有することを特徴とするマイクロカプセル化フレグランスである。このようなマイクロカプセル化フレグランスは、カプセル壁材にフレグランスが封入されていることで、常時はフレグランスの揮発が抑制され、臭気抑制能力を長期にわたって温存することができる。そして、ひとたび排泄物と接触すればカプセル壁材が壊れて内部の芯材、すなわち本発明の糞便臭抑制用フレグランスが流出して糞便臭と混ざり合い、目標処方に近い快適な香気へとこれが転換されて臭気を速やかにかつ心地よく抑制することができる。また、マイクロカプセル化されていることで、糞便との接触が予想される種々の基材に対し混合、噴霧ないし塗工等により容易に適用することができる。
【００５９】
具体的には、該本発明のマイクロカプセル化フレグランスと、該マイクロカプセル化フレグランスが定着された繊維質基材とを有する糞便臭抑制機能付き繊維製品を構成することができる。この構成によると、糞便との接触が予測される繊維製品に対し、本発明のマイクロカプセル化フレグランスを定着することにより、糞便臭の抑制効果を極めて容易に付与することができる。
【００６０】
この場合、紙おむつ又は布おむつの受便部を上記の繊維質基材で構成できる。赤ちゃんや要介護者が着用する紙おむつ又は布おむつの受便部に、本発明のマイクロカプセル化フレグランスを定着した繊維質基材を適用することで、おむつ内に漏れ出す糞便に由来した臭気を大幅に軽減できる。また、人工肛門のパウチを覆うパウチカバーを上記の繊維質基材で構成することもできる。この場合、パウチ内に排出される糞便に由来した臭気を大幅に軽減できる。特に、高齢者や要介護者、あるいはオストメイトなど、排便に関係するハンディキャップを負う使用者がこうした繊維製品を、糞便との接触が予測される人体部位に着用することで、糞便臭の抑制を効果的に図ることができる。また、糞便臭が重畳されたフレグランスの香気は、人肌との調和を図るための変調香料成分の作用により化粧料のイメージに近いものとなる。その結果、糞便臭を取り込んだ最終的な香りは、使用者が用いている化粧料の香りと認識され、自然で違和感のない匂い環境を創出できる。これにより、糞便臭発生に由来して使用者が被る精神的な負担を大幅に軽減することができる。
【００６１】
他方、繊維質基材は、ペットの尿を吸収する消臭シート又は消臭ペレットを構成するものとして構成することもできる。これらの消臭シートや消臭ペレットは、室内でペットを飼う場合のペット用トイレに使用するものであるが、これに本発明のマイクロカプセル化フレグランスが定着されていることで、室内に充満するペットの排泄物の匂いを心地よい香気に転換することができ、不快感や清潔感を高めることができる。同様に、上記本発明のマイクロカプセル化フレグランスと、該マイクロカプセル化フレグランスが定着されたセラミックペレットを構成することもでき、この場合もペット用トイレに使用すれば、同様の効果を得ることができる。また、上記のペレットは、ペット用トイレに限らず、例えば、汲み取り式のトイレや畜舎内など、糞便臭の発生源であれば限定なく使用することができ、糞便臭抑制効果を享受することができる。
【００６２】
また、本発明のマイクロカプセル化フレグランスを、カプセル壁材を溶解させない液体からなるカプセル分散剤とともに噴霧容器に充填することにより、マイクロカプセル化フレグランス噴霧スプレーを構成することもできる。マイクロカプセル化フレグランスを噴霧容器に充填することにより、好みの適用対象に内容物を噴霧するだけで、その表面にマイクロカプセル化フレグランスを定着することができ、糞便臭の抑制効果を手がる享受することができるほか、運搬にも便利である。なお、マイクロカプセルの被噴霧素材面への付着力を向上させるために、カプセル壁材を被噴霧素材面に定着させるための定着剤をマイクロカプセルとともに噴霧容器に充填してもよい。また、エアゾール噴霧の場合は、噴霧用圧縮ガス媒体をマイクロカプセル（さらには、定着剤）とともに噴霧容器に充填してもよい。
【００６３】
また、（マイクロカプセル化しない、液状の）上記本発明の糞便臭抑制用フレグランスを噴霧容器に充填することにより、糞便臭抑制用スプレーも構成することも可能である。また、エアゾール噴霧の場合は、噴霧用圧縮ガス媒体を糞便臭抑制用フレグランスとともに噴霧容器に充填してもよい。
【図面の簡単な説明】
【００６４】
【図１】本発明のマイクロカプセル化フレグランスの模式図。
【図２】本発明の糞便臭抑制機能付き繊維製品の概念を示す模式図。
【図３】本発明の糞便臭抑制機能付き繊維製品の一実施形態であるペット用消臭シートの一例を示す断面図。
【図４】本発明の糞便臭抑制機能付き繊維製品の一実施形態である紙おむつの一例を示す平面図。
【図５】図４のＩ−Ｉ断面図。
【図６】図５におけるマイクロカプセル化フレグランス適用例の第一を示すＩＩ−ＩＩ断面図。
【図７】同じく第二を示すＩＩ−ＩＩ断面図。
【図８】同じく第三を示すＩＩ−ＩＩ断面図。
【図９】同じく第四を示すＩＩ−ＩＩ断面図。
【図１０】本発明の糞便臭抑制機能付き繊維製品の一実施形態である人工肛門用パウチカバーの一例を示す正面図。
【図１１】本発明の糞便臭抑制用ペレットの第一の実施形態を示す断面模式図
【図１２】本発明の糞便臭抑制用ペレットの第二の実施形態を示す断面模式図。
【図１３】本発明の糞便臭抑制用スプレーの第一実施形態を示す断面図。
【図１４】本発明の糞便臭抑制用スプレーの第二実施形態を示す部分断面図。
【図１５】本発明の糞便抑制用スプレーの第三実施形態を示す部分断面図
【発明を実施するための最良の形態】
【００６５】
以下、発明を実施するための最良の形態を、添付の図面に基づいて説明する。なお、本発明の糞便臭抑制用フレグランスの組成物としての詳細は、「課題を解決するための手段及び発明の効果」の欄にてすでに説明した通りなので省略する。
図１は、本発明のマイクロカプセル化フレグランスの構成例を示す断面模式図である。該マイクロカプセル化フレグランス１は、上記本発明の糞便臭抑制用フレグランスを芯材１ｃとし、排泄物（糞尿）と接触すると糞便臭抑制用フレグランスが流出するように該芯材１ｃを封入するカプセル壁材１ｗとを有する。【００６６】
カプセル壁材１ｗの材質としては、例えば、ゼラチン、寒天、澱粉、デキストリン、ポリビニルアルコール、カルボキシメチルセルロースなどの水溶性高分子材料や、各種天然ゲル化剤及びグリセリンなどを例示することができるが、糞便に含まれる水分により溶解し、内部の芯材１ｃを流出させることができるものであれば、これらに限定されるものではない。また、マイクロカプセルの構造も特に限定されず、例えば、単純単核のものを例示することができる。さらに、マイクロカプセルの形状も、特に限定されない。マイクロカプセルの大きさは特に限定されず、通常、０．１μｍ以上１０００μｍ以下、好ましくは１μｍ以上５０μｍ以下である。【００６７】
図２に示すように、上記マイクロカプセル化フレグランス１は、繊維質基材２上に定着することで、本発明の糞便臭抑制機能付き繊維製品を構成することができる。繊維質基材の材質は特に限定されないが、綿、パルプなどの天然植物性繊維や、ビニロンなどの親水性合成繊維を採用することが望ましい。なお、定着材はカプセル壁材１ｗと同様の材質のものを採用でき、適量の水分を付与することでカプセル壁材１ｗ自体を定着剤に兼用することも可能である。また、繊維質基材の形態は、織布形態であっても、不織布形態であっても、または紙状のパルプシートやパルプペレットなどの形態であっても、いずれでもよい。【００６８】
図３は、上記の繊維質基材を用いた消臭シートの構成例を示すものであり、ペット用トイレなどの底部に敷設して使用するものである。具体的には、該消臭シート３は、液透過性の液透過性の表面側シート３ｃと、液不透過性の裏面側シート３ｄと、これら両シート３ｃ，３ｄ間に介在された吸収体３ａとを有し、表面側シート３ｃと裏面側シート３ｄの周囲が液密に封着されている。表面側シート３ｃの素材は液透過性を発現するものであればよく、例えば、有孔又は無孔の不織布や、多孔性プラスチックシートなどを例示することができる。また、このうち不織布は、その原料繊維が何であるかは、特に限定されない。例えば、ポリエチレン（ＰＥ）やポリプロピレン（ＰＰ）等のオレフィン系、ポリエステル系、ポリアミド系等の合成繊維、レーヨンやキュプラ等の再生繊維、綿等の天然繊維などや、これらから二種以上が使用された混合繊維などを例示することができる。【００６９】
また、吸収体３ａとしては、例えば、フラッフ状のパルプ繊維集合体（積繊パルプ）内に、粒状の吸収性ポリマーが混入されてなるものなどを例示することができる。吸収性ポリマーとしては、自重の例えば１０倍以上の体液を吸収して保持するものを使用することができる。この例としては、澱粉系や、セルロース系、合成ポリマー系などのものがあり、澱粉‐アクリル酸（塩）グラフト共重合体、澱粉‐アクリロニトリル共重合体のケン化物、ナトリウムカルボキシメチルセルロースの架橋物やアクリル酸（塩）重合体などのものを用いることができる。【００７０】
吸収性ポリマーの形状としては、通常用いられる粉粒体状のものが好適であるが、他の形状のものも用いることができる。積繊パルプに対する吸収性ポリマーの量的配置、密度分布は、汎用を目的とする場合には均一であるのがよいが、特別の吸収特性を発揮させることを目的とした場合、その目的に応じて偏らせることもできる。一方、積繊パルプの原料素材は、特に限定されない。例えば、綿状パルプや合成パルプなどの公知の素材を例示することができる。また、パルプの原料繊維は特に限定されず、例えば、機械パルプ、化学パルプ、溶解パルプ等の木材から得られるセルロース繊維や、レーヨン、アセテート等の人工セルロース繊維などを例示することができる。ただし、セルロース繊維の原材料となる木材は、広葉樹より針葉樹の方が繊維長が長いため、機能及び価格の面で好ましい。【００７１】
そして、図１のマイクロカプセル化フレグランス１は、図３の消臭シート３において、吸収体３ａ側、表面側シート３ｃ側、もしくはそれらの双方に定着されている。ペットの尿や糞が消臭シート３上に落下すると、その水分により、図１のマイクロカプセル化フレグランス１の壁材１ｗが溶解し、内部の芯材１ｃを構成する本発明の糞便臭抑制用フレグランスが流出し、糞便臭を抑制する。【００７２】
図４は、本発明を用いた紙おむつの一例を示すものである。なお、以下では紙おむつが、止着テープ型である場合について例示するが、本発明はこれに限定されるものではなく、例えばパンツ型の紙おむつにも同様に適用可能である。
紙おむつ４は、液透過性の表面側シート１１１と、液不透過性の裏面側シート１１２と、これら両シート１１１，１１２間に介在された吸収体１０３とを有する。表面側シート１１１は、トップシート１０１、セカンドシート１０４及び後述する被覆シート１０３２の表面部１３２Ａがこの順に積層されたものである。裏面側シート１１２は、被覆シート１０３２の裏面部１３２Ｂ及びバックシート１０２がこの順に積層されたものである。バックシート１０２は１枚（１層）のシートで構成されていても、２枚、３枚、４枚又はそれ以上の複数枚のシートで構成されていてもよい。２枚のシートで構成されている形態としては、例えば、液不透過性の防水シート及び液透過性の外装シートがこの順に積層された形態を例示することができる。この際、防水シートは、例えば吸収体１０３の存在域のみに配置することもできる。【００７３】
また、図５に示すように、吸収体１０３が被覆シート１０３２で被覆されており、吸収体１０３が構成されている。被覆シート１０３２によって吸収体１０３の形状保持が図られている。吸収体１０３は、例えば図４に示すように、前後方向中央部が幅狭の平面略砂時計型状とすることができる。【００７４】
トップシート１０１及びバックシート１０２は、紙おむつ４の平面外形と同じ形状になっており、前後端部及び両側部が吸収体１０３の前後端縁又は両側縁よりも前後方又は側方に延出している。これらトップシート１０１及びバックシート１０２の側方への延出は特に前後端部において長くなっている。この長く延出した部位（以下、単に「延出部」ともいう。）には、例えばファスニングテープ等の止着材など（図示せず）を取り付けることができる。【００７５】
また、トップシート１０１及びバックシート１０２は、この延出部において接合されている。この接合の方法は、特に限定されない。例えば、ホットメルト接着、超音波シール、ヒートシール（熱融着）、ヒートプレス（熱圧着）又はこれらの組み合わせによることができる。【００７６】
紙おむつ４においては、前述の本発明のマイクロカプセル化フレグランス１（図１参照）が、受尿部（紙おむつ４の排尿される部位）及び受便部（紙おむつ４の排便される部位）にそれぞれ付与されている。ここで、受尿部及び受便部の紙おむつ４上の平面位置については、股下域から腹側が受尿部に、股下域から背側が受便部に該当する。【００７７】
なお、図６に示すように、マイクロカプセル化フレグランス１は、表面側シート１１１の表面１１１ａ（の受尿部及び受便部）に付与することも不可能ではないが、好ましくない。この形態によると、マイクロカプセル化フレグランス１の脱落のおそれや、肌荒れの原因となるおそれがあるためである。【００７８】
そこで、これらを防止するという観点からは、図７に示すように、吸収体１０３の表面１０３ａ（本形態では、吸収体１０３と被覆シート１０３２の表面部１３２Ａとの間）に付与することが望ましい。また、図８に示すように、マイクロカプセル化フレグランス１の平面方向への移動をも防止するという観点から、吸収体１０３の表面１０３ａ（表層）に尿収容用凹部１０６Ａ及び便収容用凹部１０６Ｂを設け、この凹部１０６Ａ，１０６Ｂ内にマイクロカプセル化フレグランス１を付与することもできる。マイクロカプセル化フレグランス１を吸収体１０３の表面１０３ａに付与する形態においては、マイクロカプセル化フレグランス１の移動を阻止するために、マイクロカプセル化フレグランス１を吸収体１０３の表面１０３ａにホットメルト接着剤等で固定することができる。【００７９】
さらに、図９に示すように、表面側シート１１１に、凹部１０６Ａ（吸収体１０３の受尿部）や凹部１０６Ｂ（吸収体１０３の受便部）に到る尿誘導口１０７Ａ，１０７Ａや便誘導口１０７Ｂ，１０７Ｂを形成することもできる。この形態によると、尿は尿収容用凹部１０６Ａに、便は便収容用凹部１０６Ｂにと、確実に分別収容することができる。この際、誘導口１０７Ａ，１０７Ｂ形成の対象となる表面側シート１１１は、図示例では、トップシート１０１、セカンドシート１０４及び被覆シート１０３２の表面部１３２Ａとなる。【００８０】
以上において、トップシート１０１は液透過性を有するものであればよく、図３の表面側シート３ｃと同様の素材を採用可能である。不織布を採用する場合は、どのような加工によって製造されたものであってもよく、公知の方法、例えば、スパンレース法、スパンボンド法、サーマルボンド法、メルトブローン法、ニードルパンチ法等で製造されたものを例示することができる。例えば、柔軟性、ドレープ性を求めるのであれば、スパンレース法が、嵩高性、ソフト性を求めるのであれば、サーマルボンド法が、好ましい加工方法となる。また、トップシート１０１は、１枚のシートからなるものであっても、２枚以上のシートを貼り合せて得た積層シートからなるものであってもよい。同様に、トップシート１０１は、平面方向に関して、１枚のシートからなるものであっても、２枚以上のシートからなるものであってもよい。【００８１】
セカンドシート１０４は、体液を拡散し透過する性質を有する。したがって、セカンドシート１０４の素材は、この体液拡散・透過性を発現するものであれば足り、例えば、トップシート１０１と同様の素材などを例示することができる。このうち、例えば、スパンレース、パルプ不織布、パルプとレーヨンとの混合シート、ポイントボンド又はクレープ紙などが特に好ましい。また、セカンドシート１０４は、トップシート１０１よりも体液の透過性がよいものが特に好ましく、トップシート１０１よりも繊維密度が小さいもの、例えば、ポリプロピレン、ポリエチレン、ポリエチレンテレフタレート、ポリアミド、ナイロン、レーヨン、ビニロン、アクリル等からなる不織布であるのがよい。【００８２】
吸収体１０３は、図３の吸収対３ａと同様の材質が採用できるので、詳細な説明は省略する。また、被覆シート１０３２の素材は液透過性を有するものであればよく、その種類は特に限定されない。例えば、トップシート１０１として例示したのと同様の素材とすることができる。具体的には、例えば、クレープ紙、不織布、孔開きシート等の体液透過性シートを用いることができる。【００８３】
次に、バックシート１０２は液不透過性を有するものであり、例えば、ポリエチレンやポリプロピレン等のオレフィン系樹脂や、ポリエチレンシート等に不織布を積層したラミネート不織布、防水シートを介在させて実質的に不透液性を確保した外装シート等の不織布（この場合は、防水シートと外装シート等の不織布とで液不透過性のバックシート１０２が構成される）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練してシートを成形した後、一軸又は二軸方向に延伸して得られた微多孔性シートを例示することができる。【００８４】
図１０は、図２の繊維質基材２を人工肛門用パウチのカバーとして構成した例を示す。具体的には、オストメイト側に造設された図示しない人工肛門に対し、樹脂製のパウチ５５が周知の装着部５６において装着され、排出される糞便が該パウチ５４内に回収される。そして、上記のカバー５は、上側に形成された開口にてから、このパウチ５４を下側から収容するカバー本体５３（装着部５６との干渉を避けるための切欠５４が形成されている）と、カバー本体５３の上縁部にそれぞれ一端が結合された可撓性長尺部材５１，５２が結合されたものである。カバー本体５３は、例えば親水性繊維からなる布素材（例えば、木綿製の職布ないし不織布）にて形成されており、図１のマイクロカプセル化フレグランス１が定着されたものである。可撓性長尺部材５１，５２も繊維素材（親水性繊維で構成してもよいが、親水性であることは必須ではない）にて構成される。【００８５】
使用する場合は、パウチ５４を人工肛門に装着後、カバー本体５３内にパウチ５４を収容し、可撓性長尺部材５１，５２をオストメイトの胴体に巻きつけて両端を結合し、装着を完了する。可撓性長尺部材５１，５２の両端の結合方法は、結び合わせ方式であってもよいし、面ファスナ等の着脱式結合機構を用いてもよい。パウチ５４内に排出される糞便の臭気が万一パウチ５４の外に漏えいしても、カバー本体５３に定着された本発明の糞便臭抑制用フレグランスの作用により、その臭気の不快感を大幅に抑制することができる。【００８６】
図１１は、本発明の糞便臭抑制用ペレットの一実施形態を示すものである。この糞便臭抑制用ペレット６は、基材としての多孔質セラミックペレット６１を有する。この多孔質セラミックペレット６１は例えばアルミナ等のセラミック焼成体であり、表層部には、本発明の糞便臭抑制フレグランスの含浸層３Ｒが形成されている。多孔質セラミックペレット６１は表面に連通する気孔６２が多数形成されたものであり、該含浸層３Ｒにおいては、ペレット６１の表面とともに気孔６２の内面には、糞便臭抑制フレグランスの塗布層６３が形成されている。糞便臭抑制フレグランスは液状であり、これをアルコール等の溶媒中に溶解させたものに多孔質セラミックペレット６１を浸漬し、溶媒を蒸発させることにより製造できる。該多孔質セラミックペレット６１は、ペット用トイレ等に充填して使用され、糞尿がふりかかったときに気孔６２に保持された糞便臭抑制フレグランスと混ざることで、その悪臭が抑制される。【００８７】
一方、図２に示すように、セラミックペレット７１（これは、多孔質であっても、緻密なものであってもいずれでもよい）の表面に、マイクロカプセル化フレグランス１を定着したものである。これもペット用トイレ等に充填して使用され、糞尿がふりかかったときにマイクロカプセル化フレグランス１内の芯材が流出し、糞便臭抑制フレグランスと混ざることで、その悪臭が抑制される。【００８８】
図１３は、糞便臭抑制用フレグランスを噴霧用圧縮ガス媒体とともに噴霧容器に充填した糞便臭抑制用スプレーの一例を示すものである。具体的には、噴霧容器をなすエアゾール容器８の内部構造を示しており、符号２０１はアルミまたはブリキ缶からなる密閉状の容器である。該容器２０１は、内面２０１ｃが防錆処理されるとともに、有底円筒状の容器本体２０１ａと、その上方に一体に設けられた逆漏斗状の上部２０１ｂとを備える。その上部中央部には充填されたエアゾール組成物を外部に霧化するための押ボタン式のエアゾールバルブ装置２０２が設けられている。上部２０１ｂは一般的に良く知られている天蓋構造としてもよい。また、容器２０１の形状は図示例に限られるものではない。【００８９】
エアゾールバルブ装置２０２は、ノズル２０３を有する上下動自在であって上部の上方に設けられた押ボタン２０４と、この押ボタン２０４の下方であってかつ容器内上方には、設けられるオリフィス、メインオリフィス等を有する周知のチルトアクション定量噴出バルブ２０５とを有する。バルブ２０５のメインオリフィス２０５ａ側にはチューブ２０６が接続されている。押ボタン２０４の上下動構造と、それに伴うステムオリフィスが開閉するバルブ構造は周知である。また、容器２０１の内部には、本発明にかかる消糞便臭抑制用フレグランス２００Ａと、噴霧用圧縮ガス媒体（例えば、ＬＰＧ／イソペンタン混合噴射ガス）２００Ｂとが充填されている。【００９０】
この構成では、ノズル２０３を糞便に向けて押ボタン２０４を押下すれば、内部の噴霧用圧縮ガス媒体２００Ｂに消糞便臭抑制用フレグランス２００Ａが巻き込まれつつ霧化された状態でノズル２０３が噴霧され、糞便に直接作用してその悪臭を抑制することができる。【００９１】
また、上記の構成において、液状の消糞便臭抑制用フレグランス２００Ａに替え、図１４に示すようにマイクロカプセル化フレグランス１を噴霧用圧縮ガス媒体２００Ｃとともに充填してもよい。この場合は、マイクロカプセル化フレグランス１を対象物に向けて噴霧することができる。例えば、糞便との接触が予想される衣類に噴霧すれば、マイクロカプセル化フレグランス１が該衣類に定着され、糞便と接触したときにその悪臭を抑制することができる。なお、カプセル壁材１ｗを被噴霧素材面に定着させるための定着剤（例えば、デキストリンなど）をマイクロカプセル化フレグランス１及び噴霧用圧縮ガス媒体２００Ｃとともに充填してもよい。【００９２】
なお、エアゾールではなく、図１５に示すように、ポンプノズル式スプレーボトル９として構成してもよい。具体的には、ボトル本体９２内に消糞便臭抑制用レグランスを含有した液剤９Ａ（液状のフレグランスないしその溶媒希釈物でもよいし、マイクロカプセル化フレグランスの分散物であってもよい）を充填し、吸引チューブ９３をボトル本体９２内に沈めつつ、ポンプノズルヘッド９１をボトル本体９２の上部に嵌着する。この状態でポンプノズルヘッド９１を押下すれば、周知のポンプ吸引機構により液剤がノズルより噴霧される。
【実施例】
【００９３】
以下、本発明の糞便臭抑制用フレグランスの具体的な種々の調合例について、その効果を確認するために行った実験結果を、実施例として記載する。ただし、本発明はこれに限定されるものではない。表１は、以下の実施例１〜１２及び比較例１、２にて使用した各香料処方の、本発明を特徴づける成分属性別の香料配合組成をまとめて示すものである。【００９４】
【表１】
2013018805.tif 000002
【００９５】
(実施例１)
表２に示す処方にて、草原調の変調植物性香気が得られる本発明の糞便臭抑制用フレグランス(香料）を調製した。また、表２中のアップルベースの詳細な組成を表３に示す。【００９６】
【表２】
2013018805.tif 000003
【００９７】
【表３】
2013018805.tif 000004
【００９８】
また、糞便臭モデルとして、ジメチルスルフィッド（０．１％）、イソ吉草酸（０．２％）、ジメチルジスルフィッド（０．２％）、酪酸（０．３％）、インドール（０．５％）、およびジプロピレングリコール（９８．７％）の混合物を用意した。該糞便臭モデルは、書籍「悪臭学（人体編）」（著者：鈴木隆  株式会社イースト・プレス  ２０００年発行）の糞尿の章に記載されたものに基づいている。【００９９】
そして、表２の草原調の香りの糞便臭抑制用フレグランス（香料）の１０％エタノール溶液を調整し、それぞれの溶液中に糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを１５人の被験者に嗅いでもらい、糞便臭に対するマスキング効果の有無と、変調効果（糞便臭を加えない香りと比較して奥深くかつ優雅で高貴な香りへと変貌したかどうか）の有無とについての官能評価判定を行った。以上の結果を表４に示す。マスキング効果（糞便臭が感じられたか否か）に関しては各被験者の判定結果を個別に示している。また、変調効果に関しては、被験者数の最も多かった判定結果を代表させて示している。【０１００】
【表４】
2013018805.tif 000005
【０１０１】
すなわち、本実施例１のフレグランスは、糞便臭溶液の濃度が３０％以上の高濃度となっても優れたマスキング効果を有するばかりでなく、糞便臭溶液の濃度が１０％以上の場合に明確な変調効果が認められていることがわかる。糞便臭溶液の濃度が高すぎる場合は、フレグランスによる変調効果を考慮に入れても糞便臭系の悪臭の存在が明確に感じられてしまい、逆に糞便臭溶液の濃度が低すぎる場合は、糞便臭のレベル自体が低いためにフレグランスによるマスキング効果が過剰となり、フレグランス自体の香りが過度に強く感じられてしまう形となっている。ちなみに、糞便臭溶液の濃度が１０％の場合は、多くの被験者が香調の変化が鮮明に感じられたとコメントした。【０１０２】
(実施例２)
表５に示す処方にて、森林調の変調植物性香気が得られる本発明の糞便臭抑制用フレグランス(香料）を調製した。【０１０３】
【表５】
2013018805.tif 000006
【０１０４】
この表５の森林調の香りの糞便臭抑制用フレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを１５人の被験者に嗅いでもらい、糞便臭に対するマスキング効果の有無と、変調効果の有無とについての官能評価判定を実施例１と同様に行った。以上の結果を表６に示す。【０１０５】
【表６】
2013018805.tif 000007
【０１０６】
すなわち、本実施例２のフレグランスは、糞便臭溶液の濃度が１％から４０％の広い範囲にて優れたマスキング効果を有するばかりでなく、糞便臭溶液の濃度が５％以上の場合に明確な変調効果が認められていることがわかる。特に、糞便臭溶液の濃度が１０％の場合は、多くの被験者が香調の変化が鮮明に感じられたとコメントした。【０１０７】
(実施例３)
表７に示す処方にて、石鹸調の変調植物性香気が得られる本発明の糞便臭抑制用フレグランス(香料）を調製した。【０１０８】
【表７】
2013018805.tif 000008
【０１０９】
この表７の石鹸調の香りの糞便臭抑制用フレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表８に示す。【０１１０】
【表８】
2013018805.tif 000009
【０１１１】
すなわち、本実施例３のフレグランスは、糞便臭溶液の濃度が１％から２０％までの範囲にて優れたマスキング効果を有することがわかる。また、糞便臭溶液の濃度が２．５％〜２０％の範囲では比較的良好な変調効果が認められていることもわかる。【０１１２】
(実施例４)
表９に示す処方にて、実施例３とは別の石鹸調の変調植物性香気が得られる本発明の糞便臭抑制用フレグランス(香料）を調製した。【０１１３】
【表９】
2013018805.tif 000010
【０１１４】
この表９の石鹸調の香りの糞便臭抑制用フレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表１０に示す。【０１１５】
【表１０】
2013018805.tif 000011
【０１１６】
すなわち、本実施例４のフレグランスは、糞便臭溶液の濃度が１％から１０％までの範囲にて優れたマスキング効果を有することがわかる。また、糞便臭溶液の濃度が２．５％〜３０％の範囲では比較的良好な変調効果が認められていることもわかる。【０１１７】
(実施例５)
表１１に示す処方にて、実施例３とは別の石鹸調の変調植物性香気が得られる本発明の糞便臭抑制用フレグランス(香料）を調製した。また、表１１中のジャスミンベースの詳細な組成を表１２に、ローズベースの詳細な組成を表１３にそれぞれ示す。なお、この処方には調和香料成分が含まれていない。【０１１８】
【表１１】
2013018805.tif 000012
【０１１９】
【表１２】
2013018805.tif 000013
【０１２０】
【表１３】
2013018805.tif 000014
【０１２１】
この表１１の石鹸調の香りの糞便臭抑制用フレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表１４に示す。【０１２２】
【表１４】
2013018805.tif 000015
【０１２３】
すなわち、本実施例５のフレグランスは、糞便臭溶液の濃度が１％から２０％までの範囲にて優れたマスキング効果を有することがわかる。また、糞便臭溶液の濃度が２．５％〜２０％の範囲では比較的良好な変調効果が認められていることもわかる。【０１２４】
(実施例６)
表１５に示す処方にて、実施例３とは別の石鹸調の変調植物性香気が得られる本発明の糞便臭抑制用フレグランス(香料）を調製した。【０１２５】
【表１５】
2013018805.tif 000016
【０１２６】
この表１５の石鹸調の香りの糞便臭抑制用フレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表１６に示す。【０１２７】
【表１６】
2013018805.tif 000017
【０１２８】
すなわち、本実施例６のフレグランスは、糞便臭溶液の濃度が１％から２０％までの範囲にて優れたマスキング効果を有することがわかる。また、糞便臭溶液の濃度が５％〜３０％の範囲では比較的良好な変調効果が認められていることもわかる。【０１２９】
(実施例７)
表１７に示す処方にて、本発明の糞便臭抑制用フレグランス(香料）を調製した。【０１３０】
【表１７】
2013018805.tif 000018
【０１３１】
この表１７の糞便臭抑制用フレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表１８に示す。【０１３２】
【表１８】
2013018805.tif 000019
【０１３３】
すなわち、本実施例７のフレグランスは、糞便臭溶液の濃度が１％から１０％までの範囲にて優れたマスキング効果を有することがわかる。また、糞便臭溶液の濃度が５％〜１０％の範囲では比較的良好な変調効果が認められていることもわかる。【０１３４】
(実施例８)
表１９に示す処方にて、本発明の糞便臭抑制用フレグランス(香料）を調製した。【０１３５】
【表１９】
2013018805.tif 000020
【０１３６】
この表１９の糞便臭抑制用フレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表２０に示す。【０１３７】
【表２０】
2013018805.tif 000021
【０１３８】
すなわち、本実施例８のフレグランスは、糞便臭溶液の濃度が１％から１０％までの範囲にて優れたマスキング効果を有することがわかる。また、糞便臭溶液の濃度が５％〜２０％の範囲では比較的良好な変調効果が認められていることもわかる。【０１３９】
(実施例９)
表２１に示す処方にて、本発明の糞便臭抑制用フレグランス(香料）を調製した。【０１４０】
【表２１】
2013018805.tif 000022
【０１４１】
この表２１の糞便臭抑制用フレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表２２に示す。【０１４２】
【表２２】
2013018805.tif 000023
【０１４３】
すなわち、本実施例９のフレグランスは、糞便臭溶液の濃度が１％から２０％までの範囲にて優れたマスキング効果を有することがわかる。また、糞便臭溶液の濃度が５％〜１０％の範囲では比較的良好な変調効果が認められていることもわかる。【０１４４】
(実施例１０)
表２３に示す処方にて、本発明の糞便臭抑制用フレグランス(香料）を調製した。【０１４５】
【表２３】
2013018805.tif 000024
【０１４６】
この表２３の糞便臭抑制用フレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表２４に示す。【０１４７】
【表２４】
2013018805.tif 000025
【０１４８】
すなわち、本実施例１０のフレグランスは、糞便臭溶液の濃度が１％から３０％までの範囲にて優れたマスキング効果を有することがわかる。また、糞便臭溶液の濃度が５％近傍の狭い範囲ではあるが、比較的良好な変調効果が認められていることもわかる。【０１４９】
(実施例１１)
表２５に示す処方にて、本発明の糞便臭抑制用フレグランス(香料）を調製した。【０１５０】
【表２５】
2013018805.tif 000026
【０１５１】
この表２５の糞便臭抑制用フレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表２６に示す。【０１５２】
【表２６】
2013018805.tif 000027
【０１５３】
すなわち、本実施例１１のフレグランスは、糞便臭溶液の濃度が１％から２０％までの範囲にて優れたマスキング効果を有することがわかる。また、糞便臭溶液の濃度が５％近傍の狭い範囲ではあるが、比較的良好な変調効果が認められていることもわかる。【０１５４】
(実施例１２)
表２７に示す処方にて、本発明の糞便臭抑制用フレグランス(香料）を調製した。【０１５５】
【表２７】
2013018805.tif 000028
【０１５６】
この表２７の糞便臭抑制用フレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表２８に示す。【０１５７】
【表２８】
2013018805.tif 000029
【０１５８】
すなわち、本実施例１１のフレグランスは、糞便臭溶液の濃度が１％から２０％までの範囲にて優れたマスキング効果を有することがわかる。また、糞便臭溶液の濃度が５％近傍の狭い範囲ではあるが、比較的良好な変調効果が認められていることもわかる。【０１５９】
(比較例１)
表２９に示す処方にて、比較例１のフレグランス(香料）を調製した。【０１６０】
【表２９】
2013018805.tif 000030
【０１６１】
この表２９のフレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表３０に示す。【０１６２】
【表３０】
2013018805.tif 000031
【０１６３】
変調香料成分を含まない比較例１のフレグランスは、糞便臭溶液の濃度が１％から１０％程度まででマスキング効果は得られているものの、変調効果はまったく認められなかった。【０１６４】
(比較例２)
表３１に示す処方にて、比較例２のフレグランス(香料）を調製した。【０１６５】
【表３１】
2013018805.tif 000032
【０１６６】
この表３１のフレグランス（香料）の１０％エタノール溶液を調整し、それぞれの溶液中に実施例１と同じ糞便臭モデルの１％エタノール溶液（糞便臭溶液）を種々の割合で混合した後、その溶液をアトマイザーに入れ、６ｃｍ角に切断した市販キッチンペーパー上に２回噴霧した。そして、エタノール臭がしなくなった時点で噴霧した紙に残留している香りを９人の被験者に嗅いでもらい、糞便臭に対するマスキング効果の有無と、変調効果の有無とについての官能評価判定を実施例１と同様に行った。以上の結果を表３２に示す。【０１６７】
【表３２】
2013018805.tif 000033
【０１６８】
フローラル系の基調香料成分を含まない比較例１のフレグランスは、糞便臭溶液の濃度が１％から１０％程度まででマスキング効果は得られているものの、基調香料成分を含有する実施例１〜１２の香料とは香調がまったく異なり、変調効果もまったく認められなかった。【０１６９】
（実施例１３）
プラスチック製の内径約４．５ｃｍのキャップのフタ内に高分子吸収材約０．５ｇを入れ、その中に実施例１と同じ糞便臭モデル（１０％ジプロピレングリコール溶液）を３．０ｇ吸収させた。そのキャップのフタ上面をガーゼで被い、テープで固定した。このキャップをガラス製の内径約８ｃｍのシャーレ内に入れ、ガラス製内径約９ｃｍのシャーレでフタをし、約１時間、室温下で静置した。次に、５ｃｍ角に切断した市販キッチンペーパーの上に実施例１〜６にて使用したフレグランスの原液を均等に滴下し、その上から５ｃｍの角のキッチンペーパーを被せ、それをシャーレに入れたキャップ上面のガーゼの上に置いて再度フタをした。その後、シャーレのフタを開け、キッチンペーパーの上面から匂いを嗅ぎ、糞便臭を感じるかどうかを評価した。以上の結果を表３３に示す。【０１７０】
【表３３】
2013018805.tif 000034
【０１７１】
上記のごとく、本発明にかかる実施例１〜６のフレグランスをキッチンペーパーに含ませ、糞便臭を保持させた吸収材を覆うことで、キッチンペーパーを通して漏れ出ようとする糞便臭に対してもマスキングおよび変調効果が十分に発揮されていることがわかる。特に、実施例２のフレグランスは少量で強い効果を示した。【０１７２】
（実施例１４）
ガラス製の内径約８ｃｍのシャーレ内の外側に高分子吸収材約１．５ｇを入れ、実施例１及び２で使用したフレグランスの原液を均等に滴下した。次いで、ガラス製の内径約９ｃｍのシャーレでフタをし、約１５分間、室温下で静置した。次に、プラスチック製の内径約２ｃｍのキャップのフタ内に高分子吸収材０．２ｇを押し込み、実施例１と同じ糞便臭モデル（１０％ジプロピレングリコール溶液）を２．５ｇ吸収させた。そのキャップのフタをシャーレ内の中央に入れ、再度シャーレにフタをした。その後、随時シャーレのフタを開け、シャーレの中央約１０ｃｍ上方から匂いを嗅ぐことにより評価した。この手順で一日あたり１０回以上、匂いを嗅ぐ操作を繰り返した。上記２種類のフレグランスの使用量と、糞便臭が不感知となるまでの時間と、その不感知となった状態の持続日数をそれぞれ評価した。以上の結果を表３４に示す。【０１７３】
【表３４】
2013018805.tif 000035
【０１７４】
いずれのフレグランスについても、糞便臭は短時間でフレグランスの香りに取り込まれ、そのマスキング効果と変調効果とにより、糞便臭がまったく感じられなくなるとともに、長時間、その効果が持続できることがわかった。
【符号の説明】
【０１７５】
１  マイクロカプセル化フレグランス
２  繊維質基材
３  消臭シート
４  紙おむつ
６，７  糞便臭抑制用ペレット
８，９  糞便臭抑制用スプレー
【図１】
2013018805.tif 000036
【図２】
2013018805.tif 000037
【図３】
2013018805.tif 000038
【図４】
2013018805.tif 000039
【図５】
2013018805.tif 000040
【図６】
2013018805.tif 000041
【図７】
2013018805.tif 000042
【図８】
2013018805.tif 000043
【図９】
2013018805.tif 000044
【図１０】
2013018805.tif 000045
【図１１】
2013018805.tif 000046
【図１２】
2013018805.tif 000047
【図１３】
2013018805.tif 000048
【図１４】
2013018805.tif 000049
【図１５】
2013018805.tif 000050
【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
フローラル系香気を有する基調香料成分と、
動物臭系又は油脂系の香気を有する動物性香料からなり、前記基調香料成分に基づく前記フローラル系香気を人肌臭と調和する向きに変調させて変調植物系香気となす変調香料成分と、
糞便臭系の臭気を有する動物性香料からなり、前記変調植物系香気をさらに強調して香らせる残部をなす強調香料成分と、からなる植物系身体用フレグランスの目標処方から、前記強調香料成分のみを除外した差分処方に従い調合され、該差分処方が１０質量％以上９０質量％以下の前記基調香料成分と、１質量％以上６０質量％以下の前記変調香料成分とからなり、
前記目標処方に従う前記植物系身体用フレグランスよりも単独では前記変調植物系香気が弱まって香る一方、糞便臭系の悪臭が重畳されたとき、該糞便臭系の悪臭を前記強調香料成分の代替成分として取り込むことにより、前記変調植物系香気が強調されて香ることを特徴とする糞便臭抑制用フレグランス。
【請求項２】
前記差分処方は、前記フローラル系香気をグリーン系又はハーブ系にシフトさせる向きに調整する調和香料成分をさらに含むものであり、
１０質量％以上９０質量％以下の前記基調香料成分と、
前記調和香料成分によりグリーン系又はハーブ系にシフトした前記フローラル系香気を人肌臭と調和する向きに変調させる１質量％以上６０質量％以下の前記変調香料成分と
０．１質量％以上７５質量以下の前記調和香料成分とからなる請求項１記載の糞便臭抑制用フレグランス。
【請求項３】
前記変調香料成分はムスク調香料が最大含有成分として配合される請求項１又は請求項２記載の糞便臭抑制用フレグランス。
【請求項４】
前記基調香料成分が、ジャスミン調香料、ミューゲ調香料、バルサム調香料、リリー調香料、ローズ調香料、バイオレット調香料及びライラック調香料の１種又は２種以上からなる請求項２又は請求項３に記載の糞便臭抑制用フレグランス。
【請求項５】
前記差分処方は、前記フローラル系香気をグリーン系又はハーブ系にシフトさせる向きに調整する０．１質量％以上７５質量以下の調和香料成分を含むものであり、かつ、前記変調香料成分が、前記調和香料成分によりグリーン系又はハーブ系にシフトした前記フローラル系香気を人肌臭と調和する向きに変調させるものであり、
前記調和香料成分としてグリーン系香料又はハーブ系香料と、さらに柑橘系香料とが配合される請求項４記載の糞便臭抑制用フレグランス。
【請求項６】
前記差分処方は、２０質量％以上３５質量％以下のジャスミン調香料が最大含有成分として配合されるとともに、リリー調香料、ローズ調香料、ミューゲ調香料及びバルサム調香料との４成分が合計２１質量％以上４０質量％以下となり、かつ、それら４成分の合計含有量が前記ジャスミン調香料の含有量よりも多くなるように配合された、合計５０質量％以上７５質量％以下の前記基調香料成分と、
ハーブ系香料とウッディ系香料と柑橘系香料とが、それら３成分の任意の２成分の合計が残余成分の含有量を下回らないように配合された、合計１０質量％以上１６質量％以下の前記調和香料成分と、
８質量％以上２０質量％以下のムスク調香料が最大含有成分となるように配合された、合計１０質量％以上２０質量％以下の前記変調香料成分とからなり、
得られる前記変調植物系香気が草原調香気である請求項５記載の糞便臭抑制用フレグランス。
【請求項７】
前記柑橘系香料としてライム調香料とベルガモット調香料とが配合される請求項６記載の糞便臭抑制用フレグランス。
【請求項８】
前記差分処方は、１２質量％以上３０質量％以下のジャスミン調香料が最大含有成分として配合されるとともに、次いで含有量の多い成分として５質量％以上１５質量％以下のリリー調香料が配合される、合計２５質量％以上４５質量％以下の前記基調香料成分と、
ハーブ系香料とウッディ系香料とグリーン系香料とが、それら３成分の任意の２成分の合計が残余成分の含有量を下回らないように合計で２質量％以上５質量％以下配合されるとともに、それらハーブ系香料とウッディ系香料とグリーン系香料との合計よりも多い５質量％以上１５質量％以下の柑橘系香料を含有する、合計７質量％以上２０質量％以下の前記調和香料成分と、
２５質量％以上４５質量％以下のムスク調香料を最大含有成分として、さらに１０質量以上３０質量％以下のアンバー調香料を含有し、かつ合計が前記基調香料成分よりも多い３５質量％以上６８質量％以下の前記変調香料成分とからなり、
得られる前記変調植物系香気が森林調香気である請求項５記載の糞便臭抑制用フレグランス。
【請求項９】
前記柑橘系香料として、レモン調香料、ライム調香料及びベルガモット調香料が配合される請求項８記載の糞便臭抑制用フレグランス。
【請求項１０】
前記差分処方は、ジャスミン調香料及びローズ調香料の双方が、そのいずれかが最大含有成分となるように合計で３０質量％以上７５質量％以下配合され、かつ、バイオレット調香料とライラック調香料との少なくともいずれかが合計で２質量％以上１５質量％以下配合される前記基調香料成分と、
ムスク調香料又はアンバー調香料が最大含有成分として配合される２質量％以上２５質量％以下の前記変調香料成分とからなり、
得られる前記変調植物系香気が石鹸調香気である請求項１又は請求項２に記載の糞便臭抑制用フレグランス。
【請求項１１】
前記基調香料成分の２０質量％までが、リリー調香料及びミューゲ調香料の少なくとも一方にて置換された請求項１０記載の糞便臭抑制用フレグランス。
【請求項１２】
前記調和香料成分として、ハーブ系香料とウッディ系香料との少なくともいずれかが１５質量％以下にて配合される請求項１０又は請求項１１に記載の糞便臭抑制用フレグランス。
【請求項１３】
前記調和香料成分として、柑橘系香料がさらに配合される請求項１２に記載の糞便臭抑制用フレグランス。
【請求項１４】
請求項１ないし請求項１３のいずれか１項に記載の糞便臭抑制用フレグランスを芯材とし、排泄物と接触すると前記糞便臭抑制用フレグランスが流出するように該芯材を封入するカプセル壁材とを有することを特徴とするマイクロカプセル化フレグランス。
【請求項１５】
請求項１４記載のマイクロカプセル化フレグランスと、該マイクロカプセル化フレグランスが定着された繊維質基材とを有することを特徴とする糞便臭抑制機能付き繊維製品。
【請求項１６】
前記繊維質基材が紙おむつ又は布おむつの受便部を構成するものである請求項１５記載の糞便臭抑制機能付き繊維製品。
【請求項１７】
前記繊維質基材がペットの尿を吸収する消臭シート又は消臭ペレットを構成するものである請求項１５記載の糞便臭抑制機能付き繊維製品。
【請求項１８】
請求項１４記載のマイクロカプセル化フレグランスと、該マイクロカプセル化フレグランスが定着されたセラミックペレットとを有することを特徴とする糞便臭抑制用ペレット。
【請求項１９】
請求項１４記載のマイクロカプセル化フレグランスと、該マイクロカプセル化フレグランスを、前記カプセル壁材を溶解させない液体からなるカプセル分散剤とを噴霧容器に充填したことを特徴とするマイクロカプセル化フレグランス噴霧スプレー。
【請求項２０】
請求項１ないし請求項１３のいずれか１項に記載の糞便臭抑制用フレグランスを噴霧容器に充填したことを特徴とする糞便臭抑制用スプレー。
【手続補正２】
【補正対象書類名】明細書
【補正対象項目名】０００５
【補正方法】変更
【補正の内容】
【０００５】
ジュ効果は「変臭とうまく調和し、不快とは感じさせなくする効果」として定義されている。前述のごとく、変臭（悪臭）を強いレベルの芳香で抑え込む（マスキング）のではなく、変臭と調和して「良い香り」の構成要素の一つとして取り込んでしまうことがハーモナージュ効果の本質である。これに鑑みれば、変臭に対して「拮抗」することと「調和」することとは全く相反する作用であり、マスキング効果では解決できない変臭の抑制手段としてハーモナージュ効果の存在意義がある。ところが、特許文献１においては、表１及び表２にて肯定的な評価結果が示されている香料処方のほとんどすべてにおいて、本来相容れないはずのマスキング効果とハーモナージュ効果とが同時に達成されており、技術的に矛盾している。また、開示されている処方の各成分がハーモナージュ効果の発現にあって、どのように作用しているのかについても、何一つ言及されていない。
［００１５］
本発明の課題は、糞便臭を香り構成要素の一つとして取り込むとともに、これを従来の芳香剤等では実現できなかったハイグレードな香気に転換することができ、さらに香料処方の組み立ても容易な糞便臭抑制用フレグランスと、それを用いたマイクロカプセル化フレグランス、糞便臭抑制機能付き繊維製品、糞便臭抑制用ペレット、マイクロカプセル化フレグランス噴霧スプレー、及び糞便臭抑制用スプレーを提供することにある。
課題を解決するための手段及び発明の効果
［００１６］
上記の課題を解決するために、本発明の糞便臭抑制用フレグランスは、
フローラル系香気を有する基調香料成分と、
動物臭系又は油脂系の香気を有する動物性香料からなり、基調香料成分に基づくフローラル系香気を人肌臭と調和する向きに変調させて変調植物系香気となす変調香料成分と、
糞便臭系の臭気を有する動物性香料からなり、変調植物系香気をさらに強調して香らせる残部をなす強調香料成分と、からなる植物系身体用フレグランスの目標処方から、強調香料成分のみを除外した差分処方に従い調合され、該差分処方が、１０質量％以上９０質量％以下の基調香料成分と、１質量％以上６０質量％以下の変調香料成分とからなり、
目標処方に従う植物系身体用フレグランスよりも単独では変調植物系香気
【手続補正３】
【補正対象書類名】明細書
【補正対象項目名】０００８
【補正方法】変更
【補正の内容】
【０００８】
その結果、特許文献１のごとく、糞便臭と調和する単独の香料ないし複数香料の組み合わせをしらみつぶしに探索する必要がなくなり、香料開発の手間とコストを大幅に削減することができ、また、採用可能なフローラル系香気の種別、ひいては最終的に得られる（糞便臭に重畳されたときの）香りのバリエーションも大幅に増やすことができる。
［００２２］
次に、本発明においては、差分処方は、フローラル系香気をグリーン系又はハーブ系にシフトさせる向きに調整する調和香料成分をさらに含むものであり、１０質量％以上９０質量％以下の基調香料成分と、調和香料成分によりグリーン系又はハーブ系（スパイス系を概念として含む）にシフトしたフローラル系香気を人肌臭と調和する向きに変調させる１質量％以上６０質量％以下の変調香料成分と０．１質量％以上７５質量以下の調和香料成分とからなるものとして設定できる。このような調和香料成分によりフローラル系香気をグリーン系又はハーブ系にシフトさせておくことにより、動物系の変調香料成分とフローラル系香気との融合性を大幅に高めることができる。その結果、糞便臭が重畳されたときの最終的な香りは一層奥行きを増し、トイレ芳香剤などの糞便臭とリンクした安価なフローラル系香気との、質としての隔たりも一層拡大できる。
［００２３］
変調香料成分及び調和香料成分とフローラル（花）系香気とが融合した最終的な香りは、各香料の配合比率に応じて、ベースとなった花の香りを容易に識別できる場合もあるし、花の香りからは隔たった香りとなる場合もある。例えば後述する森林調の香りや草原調の香りとすることもできるし、花の香りをベースとしつつも清潔でさわやかな石鹸調の香りなどを現出することもできる。
［００２４］
なお、差分処方を構成する基調香料成分、変調香料成分及び調和香料成分の好ましい配合割合は、目標とする香りの、採用する香料の種別や香気の強さによって大きく変化し、例えば、重量含有比率においては少量しか含有されない香料成分が、当該の処方にて他の成分よりも香調としては強く感じられることもありえる。このことも踏まえた上で、各成分の好ましい配合割合は以下の通りである。
基調香料成分：１０質量％以上９０質量％以下、望ましくは２５質量％以上
【手続補正４】
【補正対象書類名】明細書
【補正対象項目名】０００９
【補正方法】変更
【補正の内容】
【０００９】
９０質量％以下
変調香料成分：１質量％以上６０質量％以下、望ましくは３質量％以上５８質量％以下
基調香料成分：省略することも可能。望ましくは、０．１質量％以上７５質量以下、より望ましくは０．２質量％以上１３質量％以下
［００２５］
差分処方において変調香料成分は、具体的にはムスク調香料、アンバー調香料及び皮革臭系香料（例えば、カストリウム調香料など）の１種又は２種以上からなるものとして構成できる。本発明者らは、こうした変調香料成分を採用する場合、目標処方では、糞便臭に極めて類似した香調を持つシベットを強調香料成分として使用したときに、差分処方が有する変調植物系香気が極めて顕著に強められることを経験している。そして、この差分処方に基づくフレグランスを糞便臭に重畳すれば、シベットを用いた場合の目標処方に基づくフレグランスとほぼ同等の上質な香調を得ることができ、糞便臭抑制効果が顕著である。この効果は、ムスク調香料が最大含有成分として配合されるように変調香料成分を構成した場合に著しい。この場合、基調香料成分は、基調香料成分が、ジャスミン調香料、ミューゲ調香料、バルサム調香料、リリー調香料、ローズ調香料、バイオレット調香料及びライラック調香料の１種又は２種以上からなるものを使用するのが好適である。
［００２６］
この場合、上記のようなムスク調香料、アンバー調香料及び皮革臭系香料の１種又は２種以上からなる変調香料成分は、フローラル系香気をグリーン系又はハーブ系にシフトさせる調和香料成分との適合性が特に高い。すなわち、グリーン系又はハーブ系にシフトしたフローラル系香気は、上記の変調香料成分により、人肌臭と調和させる効果が特に高められる。該効果は、調和香料成分において、グリーン系又はハーブ系香料以外に、さらに柑橘系香料あるいはウッディ系香料（アーシー調香料を概念として含む）が配合されている場合により顕著となる。
［００２７］
差分処方において、フローラル系香気をハーブ系ないしグリーン系にシフトさせる向きに調整する調和香料成分を採用した場合、上記の変調香料成分
【手続補正５】
【補正対象書類名】明細書
【補正対象項目名】００１０
【補正方法】変更
【補正の内容】
【００１０】
との併用により、最終的な香気を純粋なフローラル系から隔たった種々の好ましい香りへと変貌させることができる。以下に、その具体的な構成を例示するが、本発明はこれらに限定されるものではない。
［００２８］
差分処方を以下のように構成することで、得られる変調植物系香気を草原調香気とすることができる。
基調香料成分：合計５０質量％以上７５質量％以下である。２０質量％以上３５質量％以下のジャスミン調香料が最大含有成分として配合されるとともに、リリー調香料、ローズ調香料、ミューゲ調香料及びバルサム調香料との４成分が合計２１質量％以上４０質量％以下となり、かつ、それら４成分の合計含有量がジャスミン調香料の含有量よりも多くなるように配合される。
調和香料成分：合計１０質量％以上１６質量％以下である。ハーブ系香料とウッディ系香料と柑橘系香料とが、それら３成分の任意の２成分の合計が残余成分の含有量を下回らないように配合される。
変調香料成分：合計１０質量％以上２０質量％以下である。８質量％以上２０質量％以下のムスク調香料が最大含有成分となるように配合される。
［００２９］
こうして得られる草原調香気は、具体的には、明るくすがすがしい風の雰囲気を感じさせ、幾分青臭い草の香りの中にも花の甘さが溶け合った陽性の香りと表現することもできる。当然、その草原調の香りは、本来的にはフローラル（花）系の下地を有しつつ動物系の変調香料成分により奥行きと深みが加わった気品の高いものである。そして、糞便臭が重畳された場合も香りのバランスは崩れず安定であり、一部糞便臭に由来した香気であるとは直ちには信じがたいほどである。
［００３０］
上記の処方にて草原調の香気を得る上でのポイントは、特定の花の香りが飛び出さないよう、ジャスミン調香料をベースとしつつ、さらにリリー調、ローズ調、ミューゲ調及びバルサム調を加えた少なくとも５つの花の香りがブレンドされること、そして、ムスク調の変調香料成分との調和を取るために、ハーブ系香料及びウッディ系香料に加え、柑橘系香料が調和香料成分として併用される点である。柑橘系香料として、ライム調香料とベルガモット調香料とを配合することが特に好ましい。また、調和香料成分としては、これ以外のフルーティー系香料（例えば、アップル調香料など）を配合するこ
【手続補正６】
【補正対象書類名】明細書
【補正対象項目名】００１１
【補正方法】変更
【補正の内容】
【００１１】
とも可能である。
［００３１］
草原調香気を得る上で望ましい各成分の配合割合は、例えば次の通りである。
基調香料成分：５０質量％以上７５質量％以下（ジャスミン調香料：２０質量％以上３５質量％以下、リリー調香料、ローズ調香料、ミューゲ調香料及びバルサム調香料との４成分合計：２１質量％以上４０質量％以下）。
調和香料成分：１０質量％以上１６質量％以下。
変調香料成分：１０質量％以上２０質量％以下（ムスク調香料：８質量％以上２０質量％以下）。
［００３２］
差分処方を以下のように構成することで、得られる変調植物系香気を森林調香気とすることができる。
基調香料成分：合計２５質量％以上４５質量％以下である。１２質量％以上３０質量％以下のジャスミン調香料が最大含有成分として配合されるとともに、次いで含有量の多い成分として５質量％以上１５質量％以下のリリー調香料が配合される。
調和香料成分：合計７質量％以上２０質量％以下である。ハーブ系香料とウッディ系香料とグリーン系香料とが、それら３成分の任意の２成分の合計が残余成分の含有量を下回らないように合計で２質量％以上５質量％以下配合されるとともに、それらハーブ系香料とウッディ系香料とグリーン系香料との合計よりも多い５質量％以上１５質量％以下の柑橘系香料を含有する。
変調香料成分：３５質量％以上６８質量％以下である。２５質量％以上４５質量％以下のムスク調香料を最大含有成分として、さらに１０質量以上３０質量％以下のアンバー調香料を含有し、かつ合計が基調香料成分よりも多くされる。
［００３３］
こうして得られる森林調香気は、具体的には、前述の草原の香りとは対照的に、葉っぱや樹木などを連想させるとともに、茂った森のやや薄暗いトーンの中でウェットな瘴気を感じさせるやや重厚な香りとも形容すべきものである。前述の草原調の香りと同様に、フローラル（花）系の下地を有しつつ動物系の変調香料成分により奥行きと深みが加わり、糞便臭が重畳された場合の香りのバランスも良好で、一部糞便臭に由来した香気であることを全く忘れさせる内容となる。
［００３４］
上記の処方にて森林調の香気を得る上でのポイントは、ジャスミン調香料
【手続補正７】
【補正対象書類名】明細書
【補正対象項目名】００１２
【補正方法】変更
【補正の内容】
【００１２】
をベースとして、これに相当量のリリー調の香りがブレンドして、草原調の場合よりは個性的な基調を形成しておき、さらに、グリーン系を必須とする調和香料成分と、さらに、沈んだ香調のアンバー調香料を必須配合することで深い森林の瘴気を演出している点にある。また、グリーン系香料の青臭さが過度に飛び出さないよう、グリーン系香料は、これと拮抗する含有量のハーブ系香料及びウッディ系香料と共配合されるとともに、ここでも柑橘系香料が併用される。柑橘系香料としては、レモン調香料、ライム調香料及びベルガモット調香料を配合することが望ましい。
［００３５］
森林調香気を得る上で望ましい各成分の配合割合は、例えば次の通りである。
基調香料成分：２５質量％以上４５質量％以下（ジャスミン調香料：１２質量％以上３０質量％以下、リリー調香料：５質量％以上１５質量％以下）。
調和香料成分：７質量％以上２０質量％以下（ハーブ系香料、ウッディ系香料及びグリーン系香料の合計：２質量％以上５質量％以下、柑橘系香料：５質量％以上１５質量％以下）
変調香料成分：３５質量％以上６８質量％以下（ムスク調香料：２５質量％以上４５質量％以下、アンバー調香料：１０質量以上３０質量％以下）。
［００３６］
差分処方を以下のように構成することで、得られる変調植物系香気を石鹸調香気とすることができる。
基調香料成分：ジャスミン調香料及びローズ調香料の双方が、そのいずれかが最大含有成分となるように合計で３０質量％以上７５質量％以下配合され、かつ、バイオレット調香料とライラック調香料との少なくともいずれかが合計で２質量％以上１５質量％以下配合される。
変調香料成分：２質量％以上２５質量％以下であり、ムスク調香料又はアンバー調香科が最大含有成分として配合される。
［００３７］
石鹸はもともと油脂が基本原料であり、人肌に適用することを前提に古くから花の香りをベースに着香する工夫がなされてきた。その結果、油脂と花が混ざり合った香りのベースが石鹸のにおいを連想させるものとして広く定着してきている背景があり、特にジャスミン調香料やローズ調香料が石鹸用
【手続補正８】
【補正対象書類名】明細書
【補正対象項目名】００１３
【補正方法】変更
【補正の内容】
【００１３】
の香料としてなじみ深いものとなっている。この場合、花の香りそのものは持続性が短いので、花の香りが消散した後は石鹸の場合はどうしても油脂系の重い匂いが残りやすい。そこで、その油脂的な残り香を抑えるため、ムスクやアンバーなど持続性の高い香料（変調香料成分：ラストノート系）が配合されて、一般に認識される石鹸臭のイメージが形成されるのである。この場合、花の香りを際立たせるには、個性的な調和香料成分の含有量をなるべく抑えつつ、ムスクやアンバーからなる変調香料成分との親和性を高めることが有効であり、ハーブ系の香りの要素も備えたフローラル系香料として、バイオレット調ないしラベンダー調の香料が基調香料成分に必須に配合される点が特徴的である。
［００３８］
基調香料成分としては、香りに甘みを持たせるために、リリー調香料及びミューゲ調香料の少なくともいずれかをさらに配合することも可能である。また、調和香料成分として、ハーブ系香料とウッディ系香料との少なくともいずれかを配合することももちろん可能である。この場合、ハーブ系香料とウッディ系の香りが鋭くなりすぎないようにしたい場合は、調和香料成分として、柑橘系香料をさらに配合しておくとよい。
［００３９］
石鹸調香気を得る上で望ましい各成分の配合割合は、例えば次の通りである。
基調香料成分：６５質量％以上９０質量％以下（ジャスミン調香料とローズ調香料の合計：３０質量％以上７５質量％以下（これらの一部、例えば２０質量％までを、リリー調香料及びミューゲ調香料の少なくとも一方にて置換可能）、バイオレット調香料とライラック調香料の合計：２質量％以上１５質量％以下）。
調和香料成分：１５質量％以下（省略することも可能）
変調香料成分：２質量％以上２５質量％以下。
［００４０］
以下、本発明に使用可能な具体的な香料成分について以下に列挙するが、これらに限定されるものではない。
ジャスミン調香料は、例えば、酢酸ベンジル、２−ｎ−ヘキシル−３−フ
【国際調査報告】
2013018805.tif 000051
2013018805.tif 000052
2013018805.tif 000053
2013018805.tif 000054